(57)【特許請求の範囲】
【請求項１】
通信の方法であって、
ターゲット・アクセス・ポイントにおいて、アクセス端末を検出するために少なくとも１つの資源をモニタリングすることと、
前記アクセス端末の前記検出に応じて、前記アクセス端末のための、ソース・アクセス・ポイントから前記ターゲット・アクセス・ポイントへのハンドオーバー・オペレーションをトリガするためにメッセージを前記ターゲット・アクセス・ポイントからマクロネットワークへ送ることであって、ここで、前記ターゲット・アクセス・ポイントからの前記メッセージは、前記アクセス端末において候補周波数検索を起動するための要求を具備する、送ることと
を具備する方法。
【請求項２】
前記少なくとも１つの資源は、少なくとも１つのチャネルおよび／または少なくとも１つのスクランブリング・コードを具備する、請求項１に記載の方法。
【請求項３】
前記少なくとも１つの資源は、周波数帯域を具備し、および
前記モニタリングをすることは、前記アクセス端末によって送信される信号を検出するために前記周波数帯域にチューニングすることを具備する、請求項１に記載の方法。
【請求項４】
前記少なくとも１つの資源は、前記アクセス端末に割り当てられることを示す他のメッセージを受信することをさらに具備する、請求項１に記載の方法。
【請求項５】
前記アクセス端末が現在アクティブであるという表示を受信することをさらに具備する、請求項１に記載の方法であって、前記モニタリングをすることは、前記表示の前記受信の結果として開始される、請求項１に記載の方法。
【請求項６】
前記アクセス端末によって送信されるパイロット強度測定メッセージを検出することと、  前記検出したパイロット強度測定メッセージに基づいて、前記アクセス端末が前記ターゲット・アクセス・ポイントの近傍にあるかどうかを決定することと、  前記近傍決定に基づいて、前記メッセージを送るかどうかを決定することと
をさらに具備する、請求項１に記載の方法。
【請求項７】
前記メッセージは、さらに
前記ターゲット・アクセス・ポイントが前記アクセス端末から信号を受信したという表示  前記ターゲット・アクセス・ポイントの位置を示す少なくとも１つのメトリクス
を具備する、請求項１に記載の方法。
【請求項８】
前記少なくとも１つのメトリクスは、パイロット強度測定、往復遅れ、およびGPS座標から成るグループのうちの少なくとも１つに関係する、請求項７に記載の方法。
【請求項９】
前記ターゲット・アクセス・ポイントは、フェムト・ノードを具備する、請求項１に記載の方法。
【請求項１０】
通信のための装置であって、
ターゲット・アクセス・ポイントにおいて、アクセス端末を検出するために少なくとも１つの資源をモニタリングするように構成されているモニターと、および
前記アクセス端末の前記検出に応答して、前記アクセス端末のための、ソース・アクセス・ポイントから前記ターゲット・アクセス・ポイントへのハンドオーバー・オペレーションをトリガするためのメッセージを前記ターゲット・アクセス・ポイントからマクロネットワークへ送るように構成されているハンドオーバー・コントローラーであって、ここで、前記ターゲット・アクセス・ポイントからの前記メッセージは、前記アクセス端末において候補周波数検索を起動するための要求を具備する、ハンドオーバー・コントローラーと
を具備する装置。
【請求項１１】
前記少なくとも１つの資源は、少なくとも１つのチャネルおよび／または少なくとも１つのスクランブリング・コードを具備する、請求項１０に記載の装置。
【請求項１２】
前記少なくとも１つの資源は、周波数帯域を具備し、および
前記モニタリングをすることは、前記アクセス端末によって送信される信号を検出するために前記周波数帯域にチューニングすることを具備する、請求項１０に記載の装置。
【請求項１３】
前記少なくとも１つの資源は、前記アクセス端末に割り当てられることを示す他のメッセージを受信するように構成されている受信機をさらに具備する、請求項１０に記載の装置。
【請求項１４】
前記アクセス端末が現在アクティブであるという表示を受信するように構成されている受信機をさらに具備する、請求項１０に記載の方法であって、前記モニタリングをすることは、前記表示の前記受信の結果として開始される、請求項１０に記載の方法。
【請求項１５】
前記アクセス端末によって送信されるパイロット強度測定メッセージおよび／または前記アクセス端末によって送信される候補周波数報告を検出するように構成されている受信機と
前記検出したパイロット強度測定メッセージおよび／または前記検出した候補周波数報告に基づいて、前記アクセス端末が前記ターゲット・アクセス・ポイントの近傍にあるかどうかを決定するように構成されている近接性決定装置とをさらに具備する、請求項１０に記載の装置であって、
前記ハンドオーバー・コントローラーは、前記近傍決定に基づいて、前記メッセージを送るかどうかを決定するようにさらに構成されている、請求項１０に記載の装置。
【請求項１６】
前記メッセージは、
前記ターゲット・アクセス・ポイントが前記アクセス端末から信号を受信したという表示  前記ターゲット・アクセス・ポイントの位置を示す少なくとも１つのメトリクス
を具備する、請求項１０に記載の装置。
【請求項１７】
前記少なくとも１つのメトリクスは、パイロット強度測定、往復遅れ、およびGPS座標から成るグループのうちの少なくとも１つに関係する、請求項１６に記載の装置。
【請求項１８】
通信のための装置であって、
ターゲット・アクセス・ポイントにおいて、アクセス端末を検出するために少なくとも１つの資源をモニタリングする手段と、
前記アクセス端末の前記検出に応答して、前記アクセス端末のための、ソース・アクセス・ポイントから前記ターゲット・アクセス・ポイントへのハンドオーバー・オペレーションをトリガするためのメッセージを前記ターゲット・アクセス・ポイントからマクロネットワークへ送る手段であって、ここで、前記ターゲット・アクセス・ポイントからの前記メッセージは、前記アクセス端末において候補周波数検索を起動するための要求を具備する、送る手段と
を具備する装置。
【請求項１９】
前記少なくとも１つの資源は、少なくとも１つのチャネルおよび／または少なくとも１つのスクランブリング・コードを具備する、請求項１８に記載の装置。
【請求項２０】
前記少なくとも１つの資源は、周波数帯域を具備し、および
前記モニタリングをすることは、前記アクセス端末によって送信される信号を検出するために前記周波数帯域にチューニングすることを具備する、請求項１８に記載の装置。
【請求項２１】
前記少なくとも１つの資源は、前記アクセス端末に割り当てられることを示す他のメッセージを受信する手段をさらに具備する、請求項１８に記載の方法。
【請求項２２】
前記アクセス端末が現在アクティブであるという表示を受信する手段をさらに具備する、請求項１８に記載の装置であって、前記モニタリングをすることは、前記表示の前記受信の結果として開始される、請求項１８に記載の装置。
【請求項２３】
前記アクセス端末によって送信されるパイロット強度測定メッセージおよび／または前記アクセス端末によって送信される候補周波数報告を検出する手段と、
前記検出したパイロット強度測定メッセージおよび／または前記検出した候補周波数報告に基づいて、前記アクセス端末が前記ターゲット・アクセス・ポイントの近傍にあるかどうかを決定する手段とをさらに具備する、請求項１８に記載の装置であって、
前記送るための手段は、前記近傍決定に基づいて、前記メッセージを送るかどうかを決定するように構成されている、請求項１８に記載の装置。
【請求項２４】
前記メッセージは、
前記ターゲット・アクセス・ポイントが前記アクセス端末から信号を受信したという表示と、および
前記ターゲット・アクセス・ポイントの位置を示す少なくとも１つのメトリクス
を具備する、請求項１８に記載の装置。
【請求項２５】
前記少なくとも１つのメトリクスはさらに、パイロット強度測定に関係する、請求項２４に記載の装置。
【請求項２６】
ターゲット・アクセス・ポイントにおいて、アクセス端末を検出するために少なくとも１つの資源をモニタリングすること、
前記アクセス端末の前記検出に応答して、前記アクセス端末のためのソース・アクセス・ポイントから前記ターゲット・アクセス・ポイントへのハンドオーバー・オペレーションをトリガするためのメッセージを前記ターゲット・アクセス・ポイントからマクロネットワークへ送ることであって、ここで、前記ターゲット・アクセス・ポイントからの前記メッセージは、前記アクセス端末において候補周波数検索を起動するための要求を具備する、送ること
をコンピュータにさせるためのコードを記憶する、コンピュータ可読記憶媒体。
【請求項２７】
前記少なくとも１つの資源は、少なくとも１つのチャネルおよび／または少なくとも１つのスクランブリング・コードを具備する、請求項２６に記載のコンピュータ可読記憶媒体。
【請求項２８】
前記少なくとも１つの資源は、周波数帯域を具備し、および
前記モニタリングをすることは、前記アクセス端末によって送信される信号を検出するために前記周波数帯域にチューニングすることを具備する、請求項２６に記載のコンピュータ可読記憶媒体。
【請求項２９】
前記少なくとも１つの資源が前記アクセス端末に割り当てられることを示す別のメッセージを前記コンピュータに受信させるためのコードをさらに記憶する、請求項２６に記載のコンピュータ可読記憶媒体。
【請求項３０】
前記アクセス端末が現在アクティブであるという表示を前記コンピュータに受信させるためのコードをさらに記憶し、前記モニタリングをすることは、前記表示の前記受信の結果として開始される、請求項２６に記載のコンピュータ可読記憶媒体。
【請求項３１】
前記アクセス端末によって送信されるパイロット強度測定メッセージおよび／または前記アクセス端末によって送信される候補周波数報告を検出することと、
さらに前記検出したパイロット強度測定メッセージおよび／または前記検出した候補周波数報告に基づいて、前記アクセス端末が前記ターゲット・アクセス・ポイントの近傍にあるかどうかを決定することと、
前記近傍決定に基づいて、前記メッセージを送るかどうかを決定することと
を前記コンピュータにさせるためのコードをさらに記憶する、請求項２６に記載のコンピュータ可読記憶媒体。
【請求項３２】
前記メッセージは、
前記ターゲット・アクセス・ポイントが前記アクセス端末からの信号を受信したという表示と、および
前記ターゲット・アクセス・ポイントの位置を示す少なくとも１つのメトリクス
を具備する、請求項２６に記載のコンピュータ可読記憶媒体。
【請求項３３】
前記少なくとも１つのメトリクスは、パイロット強度測定、往復遅れ、およびGPS座標から成るグループのうちの少なくとも１つに関係する、請求項３２に記載のコンピュータ可読記憶媒体。
【請求項３４】
通信の方法であって、
ソース・アクセス・ポイントにおいて、アクセス端末のための前記ソース・アクセス・ポイントから前記ターゲット・アクセス・ポイントへのハンドオーバー・オペレーションをトリガするターゲット・アクセス・ポイントからメッセージを受信することであって、前記ターゲット・アクセス・ポイントからの前記メッセージは、前記アクセス端末で候補周波数探索を開始する要求を含む、受信することと、
前記メッセージの前記受信の結果として前記ターゲット・アクセス・ポイントに前記アクセス端末をハンドオーバーすることとを具備する方法。
【請求項３５】
前記メッセージは、前記ターゲット・アクセス・ポイントに前記アクセス端末をハンドオーバーせよとの要求を具備する、請求項３４に記載の方法。
【請求項３６】
前記候補周波数検索を実行せよとの要求を前記アクセス端末に送ることと、
前記要求に応答して候補周波数検索報告を受信することと、および
さらに前記候補周波数検索報告に基づいて、前記ターゲット・アクセス・ポイントに前記アクセス端末をハンドオーバーするかどうかを決定することと
をさらに具備する、請求項３４に記載の方法。
【請求項３７】
前記メッセージは、前記ターゲット・アクセス・ポイントが前記アクセス端末から信号を受信したという表示を具備し、
前記メッセージは、前記ターゲット・アクセス・ポイントの位置を示す少なくとも１つのメトリクスをさらに具備し、
前記方法は、前記少なくとも１つのメトリクスに基づいて、前記アクセス端末が前記ターゲット・アクセス・ポイントの近傍にあるかどうかを決定することをさらに具備し、
前記方法は、前記近傍決定に基づいて、前記アクセス端末をハンドオーバーするかどうかを決定することをさらに具備する、請求項３４に記載の方法。
【請求項３８】
前記アクセス端末が前記ターゲット・アクセス・ポイントの前記近傍にあるかどうかの前記決定は、さらに、
候補周波数検索を実行せよとの要求を前記アクセス端末に送ることと、
前記要求に応答して候補周波数検索報告を受信することと、および
前記少なくとも１つのメトリクスを、前記候補周波数検索報告からの情報と比較することと
を具備する、請求項３７に記載の方法。
【請求項３９】
前記アクセス端末が前記ターゲット・アクセス・ポイントの前記近傍にあるかどうかの前記決定は、さらに、
前記アクセス端末に関連する少なくとも１つの往復遅れを決定することと、
前記少なくとも１つのメトリクスを、前記少なくとも１つの往復遅れと比較することと
を具備する、請求項３７に記載の方法。
【請求項４０】
前記アクセス端末が前記ターゲット・アクセス・ポイントの近傍にあるかどうかを決定することと、および
前記近傍決定の表示を前記ターゲット・アクセス・ポイントに送ることと
をさらに具備する、請求項３４に記載の方法。
【請求項４１】
前記アクセス端末がアクティブであるかどうかを決定することと、および
前記アクセス端末がアクティブであるという表示を前記ターゲット・アクセス・ポイントに送ることと
をさらに具備する、請求項３４に記載の方法。
【請求項４２】
前記アクセス端末に割り当てられた少なくとも１つの資源を決定することと、および
前記少なくとも１つの資源の表示を前記ターゲット・アクセス・ポイントに送ることと
をさらに具備する、請求項３４に記載の方法。
【請求項４３】
前記少なくとも１つの資源は、少なくとも１つのチャネルおよび／または少なくとも１つのスクランブリング・コードを具備する、請求項４２に記載の方法。
【請求項４４】
前記ソース・アクセス・ポイントは、マクロ・アクセス・ポイントを具備し、および
前記ターゲット・アクセス・ポイントは、フェムト・ノードを具備する請求項３４に記載の方法。
【請求項４５】
通信のための装置であって、
ソース・アクセス・ポイントにおいて、アクセス端末のための前記ソース・アクセス・ポイントから前記ターゲット・アクセス・ポイントへのハンドオーバー・オペレーションをトリガするターゲット・アクセス・ポイントからのメッセージを受信するように構成されている受信機であって、前記ターゲット・アクセス・ポイントからの前記メッセージは、前記アクセス端末で候補周波数探索を開始する要求を含む、受信機と、
前記アクセス端末が前記ターゲット・アクセス・端末の近傍にあるとの決定するときに、また、前記メッセージの前記受信の結果として前記ターゲット・アクセス・ポイントに前記アクセス端末をハンドオーバーするように構成されているハンドオーバー・コントローラーと
を具備する装置。
【請求項４６】
前記メッセージは、前記ターゲット・アクセス・ポイントに前記アクセス端末をハンドオーバーせよとの要求を具備する、請求項４５に記載の装置。
【請求項４７】
前記装置が、前記候補周波数検索を実行せよとの要求を前記アクセス端末に送るように構成されている候補周波数検索コントローラーであって、かつ、前記要求に応答して候補周波数検索報告を受信するようにさらに構成されている候補周波数検索コントローラーをさらに具備することと、
前記ハンドオーバー・コントローラーが、前記候補周波数検索報告に基づいて、前記アクセス端末を前記ターゲット・アクセス・ポイントにハンドオーバーするかどうかを決定するようにさらに構成されていることと、
をさらに具備する請求項４５に記載の装置。
【請求項４８】
前記メッセージは、前記ターゲット・アクセス・ポイントが前記アクセス端末から信号を受信したという表示を具備し、  前記メッセージは、前記ターゲット・アクセス・ポイントの位置を示す少なくとも１つのメトリクスをさらに具備し、
前記装置は、前記少なくとも１つのメトリクスに基づいて、前記アクセス端末が前記ターゲット・アクセス・ポイントの近傍にあるかどうかを決定するように構成されている近接性決定装置をさらに具備し、および
前記ハンドオーバー・コントローラーは、前記近傍決定に基づいて、前記アクセス端末をハンドオーバーするかどうかを決定するようにさらに構成されている、請求項４５に記載の装置。
【請求項４９】
前記アクセス端末が前記ターゲット・アクセス・ポイントの前記近傍にあるかどうかの前記決定は、さらに、
候補周波数検索を実行せよとの要求を前記アクセス端末に送ることと、
前記要求に応答して、候補周波数検索報告を受信することと、および
前記少なくとも１つのメトリクスを、前記候補周波数検索報告からの情報と比較することと
を具備する、請求項４８に記載の装置。
【請求項５０】
前記アクセス端末が前記ターゲット・アクセス・ポイントの前記近傍にあるかどうかの前記決定はさらに、
前記アクセス端末と関連する少なくとも１つの往復遅れを決定することと、
前記少なくとも１つのメトリクスを、前記少なくとも１つの往復遅れと比較することと
を具備する、請求項４８に記載の装置。
【請求項５１】
前記アクセス端末が前記ターゲット・アクセス・ポイントの近傍にあるかどうかを決定し、および
前記近傍決定の表示を前記ターゲット・アクセス・ポイントに送る
ように構成されている近接性決定装置をさらに具備する、請求項４５に記載の装置。
【請求項５２】
前記アクセス端末がアクティブであるかどうかを決定し、および
前記アクセス端末がアクティブであるという表示を前記ターゲット・アクセス・ポイントに送る
ように構成されている通信コントローラーをさらに具備する、請求項４５に記載の装置。
【請求項５３】
前記アクセス端末に割り当てられた少なくとも１つの資源を決定し、および
前記少なくとも１つの資源の表示を前記ターゲット・アクセス・ポイントに送る
ように構成されている、通信コントローラーをさらに具備する、請求項４５に記載の装置。
【請求項５４】
前記少なくとも１つの資源は、少なくとも１つのチャネルおよび／または少なくとも１つのスクランブリング・コードを具備する、請求項５３に記載の装置。
【請求項５５】
通信のための装置であって、
第１のアクセス・ポイントにおいて、アクセス端末のための、前記ソース・アクセス・ポイントから前記ターゲット・アクセス・ポイントへのハンドオーバー・オペレーションをトリガするターゲット・アクセス・ポイントからのメッセージを受信する手段であって、前記ターゲット・アクセス・ポイントからの前記メッセージは、前記アクセス端末で候補周波数探索を開始する要求を含む、受信する手段と、
前記メッセージの前記受信の結果として前記ターゲット・アクセス・ポイントに前記アクセス端末をハンドオーバーする手段と
を具備する装置。
【請求項５６】
前記メッセージは、前記ターゲット・アクセス・ポイントに前記アクセス端末をハンドオーバーせよとの要求を具備する、請求項５５に記載の装置。
【請求項５７】
前記メッセージは、前記アクセス端末において候補周波数検索を起動せよとの要求を具備し、
前記装置は、前記候補周波数検索を実行せよとの要求を前記アクセス端末に送る手段をさらに具備し、
前記送るための手段は、前記要求に応答して候補周波数検索報告を受信するように構成されており、および
前記ハンドオーバーするための手段は、前記候補周波数検索報告に基づいて、前記ターゲット・アクセス・ポイントに前記アクセス端末をハンドオーバーするかどうかを決定するように構成されている、請求項５５に記載の装置。
【請求項５８】
前記メッセージは、前記ターゲット・アクセス・ポイントが前記アクセス端末から信号を受信したという表示を具備し、
前記メッセージは、前記ターゲット・アクセス・ポイントの位置を示す少なくとも１つのメトリクスをさらに具備し、
前記装置は、前記少なくとも１つのメトリクスに基づいて、前記アクセス端末が前記ターゲット・アクセス・ポイントの近傍にあるかどうかを決定する手段をさらに具備し、および
前記装置は、前記近傍決定に基づいて、前記アクセス端末をハンドオーバーするかどうかを決定するように構成されたハンドオーバーする手段をさらに具備する、請求項５５に記載の装置。
【請求項５９】
前記アクセス端末が前記ターゲット・アクセス・ポイントの近傍にあるかどうかの前記決定は、さらに、
候補周波数検索を実行せよとの要求を前記アクセス端末に送ることと、
前記要求に応答して候補周波数検索報告を受信することと、および
前記少なくとも１つのメトリクスを、前記候補周波数検索報告からの情報と比較することと
を具備する、請求項５８に記載の装置。
【請求項６０】
前記アクセス端末が前記ターゲット・アクセス・ポイントの前記近傍にあるかどうかの前記決定は、さらに、
前記アクセス端末に関連する少なくとも１つの往復遅れを決定することと、および
前記少なくとも１つのメトリクスを、前記少なくとも１つの往復遅れと比較することと
を具備する、請求項５８に記載の装置。
【請求項６１】
前記アクセス端末が前記ターゲット・アクセス・ポイントの近傍にあるかどうかを決定する手段と、および
前記ターゲット・アクセス・ポイントに前記近傍決定の表示を送信する手段と
をさらに具備する、請求項５５に記載の装置。
【請求項６２】
前記アクセス端末がアクティブであるかどうかを決定する手段と、および
前記アクセス端末がアクティブであるという表示を前記ターゲット・アクセス・ポイントに送る手段と
をさらに具備する、請求項５５に記載の装置。
【請求項６３】
前記アクセス端末に割り当てられる少なくとも１つの資源を決定する手段と、および
前記少なくとも１つの資源の表示を前記ターゲット・アクセス・ポイントに送る手段と
をさらに具備する、請求項５５に記載の装置。
【請求項６４】
前記少なくとも１つの資源は、少なくとも１つのチャネルおよび／または少なくとも１つのスクランブリング・コードを具備する、請求項６３に記載の装置。
【請求項６５】
ソース・アクセス・ポイントにおいて、アクセス端末のための、前記ソース・アクセス・ポイントから前記ターゲット・アクセス・ポイントへのハンドオーバー・オペレーションをトリガするターゲット・アクセス・ポイントからのメッセージを受信することであって、ターゲット・アクセス・ポイントからの前記メッセージは、前記アクセス端末で候補周波数探索を開始する要求を含む、受信することと、
前記メッセージの前記受信の結果として前記ターゲット・アクセス・ポイントに前記アクセス端末をハンドオーバーすることと
をコンピュータにさせるためのコードを記憶するコンピュータ可読記憶媒体。
【請求項６６】
前記メッセージは、前記ターゲット・アクセス・ポイントに前記アクセス端末をハンドオーバーせよとの要求を具備する、請求項６５に記載のコンピュータ可読記憶媒体。
【請求項６７】
前記アクセス端末に、前記候補周波数検索を実行せよとの要求を前記コンピュータに送らせるためのコードであって、前記要求に応答して候補周波数検索報告を受信するようにさらに構成されている、コードと、および
前記候補周波数検索報告に基づいて、前記ターゲット・アクセス・ポイントに前記アクセス端末をハンドオーバーするかどうかを前記コンピュータに決定させるためのコードと
をさらに具備する、請求項６５に記載のコンピュータ可読記憶媒体。
【請求項６８】
前記メッセージは、前記ターゲット・アクセス・ポイントが前記アクセス端末から信号を受信したという表示を具備し、
前記メッセージは、前記ターゲット・アクセス・ポイントの位置を示す少なくとも１つのメトリクスをさらに具備し、
前記コンピュータ可読媒体は、前記少なくとも１つのメトリクスに基づいて、前記アクセス端末が前記ターゲット・アクセス・ポイントの近傍にあるかどうかを前記コンピュータに決定させるためのコードをさらに具備し、および
前記コンピュータ可読媒体は、前記近傍決定に基づいて、前記アクセス端末をハンドオーバーするかどうかを前記コンピュータに決定させるためのコードをさらに具備する、請求項６５に記載のコンピュータ可読記憶媒体。
【請求項６９】
前記アクセス端末が前記ターゲット・アクセス・ポイントの前記近傍にあるかどうかの前記決定はさらに、
候補周波数検索を実行せよとの要求を前記アクセス端末に送ることと、
前記要求に応答して候補周波数検索報告を受信することと、および
前記少なくとも１つのメトリクスを、前記候補周波数検索報告からの情報と比較することと
を具備する、請求項６８に記載のコンピュータ可読記憶媒体。
【請求項７０】
前記アクセス端末が前記ターゲット・アクセス・ポイントの前記近傍にあるかどうかの前記決定は、さらに、
前記アクセス端末に関連する少なくとも１つの往復遅れを決定することと、および
前記少なくとも１つのメトリクスを、前記少なくとも１つの往復遅れと比較することと
を具備する、請求項６８に記載のコンピュータ可読記憶媒体。
【請求項７１】
前記パイロット強度測定メッセージは、前記アクセス端末で受信されたパイロット信号の信号強度を示す、請求項６に記載の方法。
【請求項７２】
前記アクセス端末によって送信された候補周波数報告を検出することと、
前記検出された候補周波数報告に基づいて、前記アクセス端末が前記ターゲット・アクセス・ポイントの近傍にあるかどうかを決定することと、
前記近傍情報に基づいて前記メッセージを送信するかどうかを決定することと、
をさらに具備する請求項１に記載の方法。
【請求項７３】
前記ソース・アクセス・ポイントからの前記ターゲット・アクセス・ポイントにおいて受信されたパイロット信号の測定値を、前記ソース・アクセス・ポイントからの前記アクセス端末で受信されたパイロット信号の測定値と比較することと、
前記比較に基づいて、前記アクセス端末が前記ターゲット・アクセス・ポイントの近傍にあるかどうかを決定することと、
前記近傍情報に基づいて前記メッセージを送信するかどうかを決定することと、
をさらに具備する請求項１に記載の方法。
【発明の詳細な説明】
【関連出願の参照】
【０００１】
本件特許出願は、2007年11月21日付けの米国仮出願第60/989,576号の代理人文書番号080248P1に基づいて優先権を主張するものであって、当該米国仮出願の開示は、参照によって本件出願の明細書に明白に組み込まれている。
【技術分野】
【０００２】
本件出願は、一般に通信に関係し、特に通信ハンドオーバー・スキームに関係するが、これのみに関係するものではない。
【０００３】
序論
【０００４】
ワイヤレス通信システムは、複数のユーザに様々なタイプの通信（例えば、音声、データ、マルチメディア・サービスなど）を提供するために広く展開されている。高レートおよびマルチメディア・データ・サービスに対する要求が急速に増えるごとに、強化された性能を備える、効率的かつ強固な通信システムを実装することへの挑戦が待ち受けている。
【０００５】
従来のモバイル電話ネットワーク基地局（例えば、マクロ・セル）を補足することを目的として、モバイル・ユニットに対してより強固な室内ワイヤレス・カバレッジを提供するために小規模カバレッジ基地局が展開（例えば、ユーザーの自宅に導入）されてもよい。そのような小規模カバレッジ基地局は、一般に、アクセス・ポイント基地局、ホーム・ノードB、またはフェムト・セルとして知られている。典型的に、そのような小規模カバレッジ基地局は、DSLルーターまたはケーブル・モデムを介してインターネットおよびモバイル・オペレーターのネットワークに接続される。
【０００６】
実際、これらの小規模カバレッジ基地局は、一定のエリア内に（例えば、マクロ・セル全体にわたって）比較的多く展開されることができる。モバイル・ユニットは、そのようなエリアを通ってローミングするので、これらの基地局のうちの１つにモバイル・ユニットをハンドオーバーすることが望まれる場合がある。それゆえに、比較的多くの数の基地局を採用するネットワーク内で、ハンドオーバーのための適切な基地局を識別し、ハンドオーバーを遂行するための効率的技術に対するニーズがある。
【発明の概要】
【０００７】
本件開示の態様の事例の概要が以下に続く。本件明細書におけるいかなる事例的態様への言及も、本件開示の１つまたは複数の態様をさすものとして理解されるべきである。
【０００８】
本件開示は、ある態様において、アクセス端末がソース・アクセス・ポイントからターゲット・アクセス・ポイントにハンドオーバーされるハンドオーバー・オペレーションに関係する。例えば、マクロ・アクセス・ポイントとアクティブに通信しているアクセス端末がフェムト・ノードにハンドオーバーされることができる。ここで、（例えば、関心エリア内に多数のアクセス・ポイントがあるとき、）ターゲット・アクセス・ポイントの効率的な識別を容易にするための準備がなされる。
【０００９】
本件開示は、ある態様において、ターゲット・アクセス・ポイントによって起動されるハンドオーバー・オペレーションに関係する。例えば、ターゲット・アクセス・ポイントは、特定のアクセス端末からの信号を検出するためにオフ周波数スキャンを行なうことができる。そのような信号が検出されると、ターゲット・アクセス・ポイントは、アクセス端末がターゲット・アクセス・ポイントに向けられることを要求するメッセージをソース・アクセス・ポイントに送ることができる。
【００１０】
本件開示は、ある態様において、ハンドオーバーのためにターゲット・アクセス・ポイントによって識別されたアクセス端末がターゲット・アクセス・ポイントの近傍にあることを確認するために候補周波数検索を実施することに関係する。例えば、ターゲット・アクセス・ポイントがソース・アクセス・ポイントに、ターゲット・アクセス・ポイントが所与のアクセス端末からの信号を検出したことを通知することに応答して、ソース・アクセス・ポイントが、候補周波数検索を実施せよという要求を、識別されたアクセス端末に送ってもよい。
【００１１】
本件開示は、ある態様において、ハンドオーバー・オペレーションを実行するかどうかを決定するために、アクセス端末がターゲット・アクセス・ポイントの範囲内にあるかどうかを検証するソース・アクセス・ポイントに関係する。例えば、ソース・アクセス・ポイントは、ターゲット・アクセス・ポイントおよびアクセス端末の位置を示す情報を受信することができる。ある場合において、ターゲット・アクセス・ポイントの位置を示す情報は、１つまたは複数のメトリクスを具備する。これらの場合において、ソース・アクセス・ポイントは、アクセス端末がターゲット・アクセス・ポイントの近傍にあるかどうかを決定するために、メトリクス（複数）を、アクセス端末から受信した情報と比較する。
【００１２】
本件開示は、ある態様において、ハンドオーバー命令をいくつかのターゲット・アクセス・ポイントの各々に送ることによって、これらのターゲット・アクセス・ポイントの間で起こりうるあいまいさを処理するソース・アクセス・ポイントに関係する。例えば、ソース・アクセス・ポイントが、いくつかのアクセス・ポイントが同じPNシーケンスを使用していることを示す候補周波数検索報告をアクセス端末から受信すると、ソース・アクセス・ポイントは、アクセス端末の潜在的ハンドオーバーのために同じセットのチャネル割り当てパラメーターを使用するようこれらのアクセス・ポイントの各々に命令してもよい。
【００１３】
本件開示は、ある態様において、アクセス端末がターゲット・アクセス・ポイントにハンドオーバーされるようにするために使用される情報を提供するアクセス端末に関係する。ある態様において、アクセス端末が、自分が所与のアクセス・ポイントの近傍にあると決定するとき、アクセス端末は、その所与のアクセス・ポイントからの信号についてモニタリングをすることを開始することができる。ある態様において、アクセス端末は、所与の特定のアクセス・ポイントまたは定義された１セットのアクセス・ポイントについて指定される閾値を使用してその所与のアクセス・ポイントからの信号を検出してもよい。
【図面の簡単な説明】
【００１４】
詳細な説明およびそれに続く添付の特許請求の範囲、および付随する図面において、本件開示のこれらのおよび他の態様の事例が説明される。
【図１】図1は、アクセス・ポイントのソースからターゲット・アクセス・ポイントへアクセス端末がハンドオーバーされることができる通信システムのいくつかの態様の事例の簡略化されたブロック図である。
【図２】図2は、ワイヤレス通信のためのカバレッジ・エリアの事例を例示する簡略化された図である。
【図３】図3は、通信ノードにおいて採用されることができる構成要素のいくつかの態様の事例の簡略化されたブロック図である。
【図４】図4は、ターゲット・アクセス・ポイントによってハンドオーバーが起動されるオペレーションのいくつかの態様の事例のフローチャートである。
【図５】図５は、アクセス端末が近傍にあるかどうかをターゲット・アクセス・ポイントが決定するハンドオーバー・オペレーションのいくつかの態様の事例のフローチャートである。
【図６】図６は、近傍ベクトルの事例を例示する簡略化された図である。
【図７】図７は、ハンドオーバー・オペレーションが、アクセス端末とアクセス・ポイントの相対的近傍性に基づいて実施されるオペレーションのいくつかの態様の事例のフローチャートである。
【図８】図８は、ターゲット・アクセス・ポイントに関して潜在的あいまいさがあるハンドオーバー・オペレーションのいくつかの態様の事例のフローチャートである。
【図９】図９は、アクセス端末支援のハンドオーバー・オペレーションのいくつかの態様の事例のフローチャートである。
【図１０】図10は、ハンドオーバー・コール・フロー・オペレーションの事例を例示する簡略化された図である。
【図１１】図１１は、ハンドオーバー・コール・フロー・オペレーションの事例を例示する簡略化された図である。
【図１２】図１２は、ハンドオーバー・コール・フロー・オペレーションの事例を例示する簡略化された図である。
【図１３】図１３は、ワイヤレス通信システムの簡略化された図である。
【図１４】図１４は、フェムト・ノードを含むワイヤレス通信システムの簡略化された図である。
【図１５】図１５は、ソース・アクセス・ポイントとターゲット・アクセス・ポイントとの間の通信を確立するための技術の事例を例示するワイヤレス通信システムの簡略化された図である。
【図１６】図１６は、通信コンポーネントの態様のいくつかの事例の簡略化されたブロック図である。
【図１７】図１７は、本件明細書において教示されるようなハンドオーバー関連のオペレーションを実行するよう構成されている装置のいくつかの態様の事例の簡略化されたブロック図である。
【図１８】図１8は、本件明細書において教示されるようなハンドオーバー関連のオペレーションを実行するよう構成されている装置のいくつかの態様の事例の簡略化されたブロック図である。
【図１９】図１9は、本件明細書において教示されるようなハンドオーバー関連のオペレーションを実行するよう構成されている装置のいくつかの態様の事例の簡略化されたブロック図である。
【図２０】図２０は、本件明細書において教示されるようなハンドオーバー関連のオペレーションを実行するよう構成されている装置のいくつかの態様の事例の簡略化されたブロック図である。
【００１５】
一般的な慣例にしたがって、図面において図示されている様々な特徴は、共通の尺度を持つように描かれているわけではない。したがって、様々な特徴の寸法は、明確化のために、任意に拡張または縮小されてもよい。加えて、いくつかの図面は、明確化のために、簡略化されてもよい。したがって、図面は、一定の装置（例えば、デバイス）または方法の全ての構成要素を図示していなくてもよい。最後に、詳細な説明および図面の全体にわたって同様の特徴を示すために同様の参照数字が使用されてもよい。
【発明の詳細な説明】
【００１６】
本件開示の様々な態様が以下で説明される。本件明細書における教示は、多様な形式で具体化されることができ、および本件明細書において開示されるどのような特定の構成、機能、または構成および機能も、単に典型的なものである、ということが明白にされるべきである。本件明細書における教示に基づいて、当業者は、本件明細書において開示される態様がいかなる他の態様とも独立して実施されることができ、およびこれらの態様の２つ以上が様々な方法で組み合わされることができる、ということを認識するべきである。例えば、本件明細書において述べられる任意の数の態様を使用して装置が実装される、または方法が実行されることができる。加えて、本件明細書において述べられる１つまたは複数の態様に加えてまたはそれら以外の他の構成、機能性、または構成および機能性を使用してそのような装置が実装される、またはそのような方法が実行されることができる。さらに、態様は、特許請求の範囲の少なくとも１つのエレメントを具備することができる。
【００１７】
図1は、通信システム１００の事例（例えば、通信ネットワークの一部）におけるいくつかのノードを例示している。例示のために、本件開示の様々な態様は、相互に通信する１つまたは複数のアクセス端末、アクセス・ポイント、およびネットワーク・ノードの文脈において説明される。しかしながら、本件明細書における教示は、他の専門用語（例えば、基地局、ユーザー設備など）を使用して呼ばれる他のタイプの装置または他の同様の装置に適用可能であってもよいことが認識されるべきである。
【００１８】
システム100におけるアクセス・ポイントは、関連した地理的エリア内に導入されることができる、または関連する地理的エリアの全体にわたってローミングすることができる１つまたは複数のワイヤレス端末（例えば、アクセス端末１０２）のために１つまたは複数のサービス（例えば、ネットワーク接続）を提供する。例えば、様々な時点でアクセス端末１０２は、アクセス・ポイント１０４またはアクセス・ポイント１０６に接続することができる。アクセス・ポイント１０４および１０６の各々は、ワイドエリア・ネットワーク接続を容易にするために１つまたは複数のネットワーク・ノード（便宣上ネットワーク・ノード１０８によって表わされている）と通信することができる。そのようなネットワーク・ノードは、例えば、１つまたは複数の無線および／またはコア・ネットワーク・エンティティ（例えば、モバイル切換センター、移動性管理エンティティ、またはいくつかの他の適切なネットワーク・エンティティ）のような様々な形式をとることができる。
【００１９】
アクセス端末102が接続状態にあるとき（例えば、アクティブ・コールの間）、アクセス端末102は、アクセス・ポイント104（例えば、ソース・アクセス・ポイント）によってサービスされることができる。しかしながら、アクセス端末102がアクセス・ポイント106に近づくにつれて、アクセス端末102が、代わりにアクセス・ポイント106に接続されることが望まれる場合がある。例えば、アクセス・ポイント106は、アクセス端末102のために追加のサービスを提供することができるし、またはアクセス端末102は、アクセス・ポイント106から、アクセス・ポイント104からより強い信号を受信することができる。したがって、ある時点において、アクセス端末102は、アクセス・ポイント104からアクセス・ポイント106へハンドオーバーされる。そのようなハンドオーバー・オペレーションの場合、アクセス・ポイント104は、ソース・アクセス・ポイントと呼ばれてもよく、およびアクセス・ポイント106は、ターゲット・アクセス・ポイントと呼ばれてもよい。
【００２０】
従来のハンドオーバー手順において、ソース・アクセス・ポイントは、ターゲット・アクセス・ポイントへのハンドオーバーのためのトリガ条件を検出する。そのようなハンドオーバー決定は、例えば、アクセス端末の現在のアクティブ・セットで経験した往復遅れ（RTD）に基づいてもよく、またはアクセス端末による、ターゲット・ネットワークの境界において展開されるビーコン（パイロット）の報告に基づいてもよい。しかしながら、所与のエリア内のアクセス・ポイントの数が比較的多い場合、ソース・アクセス・ポイントがハンドオーバーをトリガすることは比較的非効率でありうる。例えば、隣接するアクセス・ポイントが多数あるとき、アクセス端末がハンドオーバーされるべき正確なアクセス・ポイントをソース・アクセス・ポイントが決定することは困難でありうる。さらに、潜在的ターゲット・アクセス・ポイントがハンドオーバー・オペレーションに適しているかどうかをソース・アクセス・ポイントが決定することは困難でありうる。
【００２１】
図1および以下の開示は、アクセス端末を１つのアクセス・ポイントから他のアクセス・ポイントへハンドオーバーするための様々な技術を説明する。利点として、これらの技術は、所与のエリア内に多数のアクセス・ポイントがある状況でも効率的に採用されることができる。
【００２２】
本件開示は、ある態様において、ターゲット・アクセス・ポイントがハンドオーバー・オペレーションをトリガする分散ハンドオーバー・スキームに関係する。例えば、アクセス・ポイント106は、（例えば、オン周波数スキャンおよびオフ周波数スキャンを行なうことによって）特定のアクセス端末からの信号についてモニタリングをするアクセス端末モニター110を採用してもよい。アクセス端末モニター110がそのような信号をいったん検出すると、アクセス・ポイント106のハンドオーバー・コントローラー112は、ハンドオーバー・オペレーションを起動することができる。これは、例えば、アクセス・ポイント104に確実なハンドオーバー関連オペレーションを開始することを要求するメッセージをアクセス・ポイント104のハンドオーバー・コントローラー114に送ることを伴ってもよい。そのようなスキームの一例が図4と一緒に以下で説明される。
【００２３】
本件開示は、ある態様において、確実なハンドオーバー・オペレーションを開始する前に、アクセス・ポイントによって検出されたアクセス端末がアクセス・ポイントと通信することができることを検証することに関係する。ここで、アクセス・ポイントによるアクセス端末信号の検出は、アクセス端末がアクセス・ポイントから信号を受信することができることを保証しなくてもよい。したがって、アクセス・ポイントは、ハンドオーバー・オペレーションを起動することと一緒に、アクセス端末がターゲット・アクセス・ポイントの近くにあることを検証するように構成されていてもよい。
【００２４】
ある場合において、ターゲット・アクセス・ポイントは、アクセス端末がターゲット・アクセス・ポイントの近くにあるかどうかを検証することができる。例えば、アクセス端末モニター110は、アクセス端末により送信される、アクセス端末の位置を示すメッセージを獲得することができる。ハンドオーバー・コントローラー112は、次に、この情報に基づいて、ハンドオーバー・オペレーションを実施するかどうかを決定することができる。そのようなスキームの一例が図5と一緒に以下で説明される。
【００２５】
ある場合において、ハンドオーバー・オペレーションを開始する前に、ソース・アクセス・ポイントは、アクセス端末に、アクセス・ポイント信号（例えば、指定されたアクセス・ポイントからの信号）についてモニタリングをするよう要求することによって、アクセス端末がターゲット・アクセス・ポイントの近傍にあることを検証することができる。例えば、ある実装において、アクセス・ポイント104は、候補周波数検索を実行せよという要求をアクセス端末102に送ることができる候補周波数検索コントローラー116を含む。同様に、アクセス端末102は、要求された検索を実行し、例えば、その検索の間に受信した信号（例えば、パイロット信号）を示す報告を提供する候補周波数検索コントローラー118を含むことができる。アクセス端末102がアクセス・ポイント106から信号を受信した場合、ハンドオーバー・コントローラー114は、ハンドオーバーを進めることができる。そのようなスキームは、例えば、図5および図7のオペレーションと一緒に採用されてもよい。
【００２６】
ある場合において、ソース・アクセス・ポイントは、ターゲット・アクセス・ポイントから受信したメトリクスに基づいて、アクセス端末がターゲット・アクセス・ポイントの近くにあるかどうかを検証することができる。例えば、アクセス端末モニター110において信号が検出されると、ハンドオーバー・コントローラー112は、信号が検出されたことを示すメッセージであって、かつ、アクセス・ポイント106の位置を示すメトリクスを含むメッセージをハンドオーバー・コントローラー114に送ることができる。ハンドオーバー・コントローラー114は、次に、アクセス端末102がアクセス・ポイント106の近傍にあるかどうかを決定するために、これらのメトリクスを、例えば、候補周波数検索から得られる情報と比較することができる。ハンドオーバー・コントローラー114は、次に、この決定に基づいて、ハンドオーバー・オペレーションを実施するかどうかを決定することができる。そのようなスキームの一例が図7と一緒に以下で説明される。
【００２７】
上で説明されたようなハンドオーバー・オペレーションは、図2に示されているようなネットワーク200において有利に採用されることができる。図2において、いくつかのアクセス・ポイントは、マクロ・カバレッジを提供し、その他のアクセス・ポイントは、比較的小規模のカバレッジを提供する。ここで、マクロ・カバレッジ・エリア204は、例えば、マクロ・セル・ネットワークまたはワイドエリア・ネットワーク（WAN）と典型的に呼ばれる3Gネットワークのような広いエリアのセルラー・ネットワークのマクロ・アクセス・ポイントによって提供されることができる。加えて、比較的小規模のカバレッジ・エリア206は、例えば、ローカル・エリア・ネットワーク（LAN）と典型的に呼ばれる住宅ベースまたは建物ベースのネットワーク環境のアクセス・ポイントによって提供されることができる。アクセス端末（AT）は、そのようなネットワークを通って移動する際、ある場所では、マクロ・カバレッジを提供するアクセス・ポイントによってサービスされ、また他の場所では、比較的小規模のカバレッジを提供するアクセス・ポイントによってサービスされることができる。ある態様において、比較的小規模のアクセス・ポイントは、キャパシティの増加、建物内の通信カバレッジ、および異なるサービスという特性を提供するように使用されることができるのであって、これらの特性はすべて、より強固なユーザー・エクスペリエンスをもたらすものである。
【００２８】
マクロ・カバレッジ・エリア204A内の小さなセル（例えば、カバレッジ・エリア206A）によって示されるように、多数の小規模カバレッジのアクセス・ポイントがネットワークの所与のエリアに展開されることができる。そのような場合において、本件明細書における教示は、これらのアクセス・ポイントへのハンドオーバーを行うために有利に採用されることができる。
【００２９】
本件明細書における説明において、比較的広いエリアにわたるカバレッジを提供するノード（例えば、アクセス・ポイント）は、マクロ・ノードと呼ばれ、他方、比較的小さなエリア（例えば、住宅）にわたるカバレッジを提供するノードは、フェムト・ノードと呼ばれてもよい。本件明細書における教示は、他のタイプのカバレッジ・エリアと関連するノードに対して適用可能であってもよいことが認識されるべきである。例えば、ピコノードは、マクロ・エリアよりも小さく、フェムト・エリアよりも広いエリアにわたるカバレッジ（例えば、商業用建物内のカバレッジ）を提供することができる。また、中継ノードは、アクセス・ポイントがネットワーク内の他のノードと通信することを可能にするワイヤレス・カバレッジを提供することができる。言い換えると、中継ノードは、例えば、ネットワーク・ノードまたは他の中継ノードへの接続を容易にするワイヤレス・バックホールを提供することができる。様々なアプリケーションにおいて、マクロ・ノード、フェムト・ノード、または他のアクセス・ポイント・タイプのノードを指すために他の用語が使用されてもよい。例えば、マクロ・ノードは、アクセス・ノード、基地局、アクセス・ポイント、eノードB、マクロ・セルなどとして構成されていてもよく、またはそれらの用語で呼ばれてもよい。また、フェムト・ノードは、ホーム・ノードB、ホームeノードB、アクセス・ポイント、基地局、アクセス・ポイント基地局、eノードB、フェムト・セルなどとして構成されていてもよく、またはそれらの用語で呼ばれてもよい。ある実装において、ノードは、１つまたは複数のセルまたはセクターに（例えば、分離されて）関連させられてもよい。マクロ・ノード、フェムト・ノード、またはピコノードと関連するセルまたはセクターは、マクロ・セル、フェムト・セル、またはピコ・セルとそれぞれ呼ばれてもよい。便宣のために、本件明細書における説明は、一般に、アクセス・ポイントおよびフェムト・ノードのオペレーションおよびコンポーネントに言及する。これらのオペレーションおよびコンポーネントはまた、他のタイプのノード（例えば、中継ノードおよびピコノード）に適用可能であってもよいことが認識されるべきである。
【００３０】
図2の例において、いくつかの追跡エリア202（またはルーティング・エリアまたはロケーション・エリア）が定義される。図2において、追跡エリア202の各々は、いくつかのマクロ・カバレッジ・エリア204を含む。ここで、追跡エリア202A、202B、および202Cと関連するカバレッジのエリアは、太線により示されており、およびマクロ・カバレッジ・エリア204は、六角形により表わされている。上で述べたように、追跡エリア202はまた、フェムト・カバレッジ・エリア206を含んでいてもよい。この例において、フェムト・カバレッジ・エリア206の各々（例えば、フェムト・カバレッジ・エリア206C）は、１つまたは複数のマクロ・カバレッジ・エリア204（例えば、マクロ・カバレッジ・エリア204B）内に図示されている。しかしながら、フェムト・カバレッジ・エリア206は、マクロ・カバレッジ・エリア204内の全体に広がっていなくてもよいことが認識されるべきである。また、１つまたは複数のピコまたはフェムト・カバレッジ・エリア（図示されていない）が、所与の追跡エリア202またはマクロ・カバレッジ・エリア204内で定義されてもよい。
【００３１】
上記の概要を念頭におき、本件明細書における教示にしたがってハンドオフを行なうために採用されてもよい様々な技術が図3−12を参照して説明される。例示のために、以下は、アクセス端末がマクロ・アクセス・ポイントからフェムト・ノードへハンドオーバーされるシナリオを説明する。本件明細書における教示は、他のタイプのノード間のハンドオーバーに適用可能であってもよいことが理解されるべきである。
【００３２】
例示のために、図4−12のオペレーション（または本件明細書において議論されるまたは教示される任意の他のオペレーション）は、特定のコンポーネント（例えば、システム100のコンポーネントおよび／または図3において図示されているコンポーネント）によって行なわれるものとして説明されてもよい。しかしながら、これらのオペレーションは、他のタイプのコンポーネントによって実行されてもよく、および異なる数のコンポーネントを使用して実行されてもよいことが認識されるべきである。本件明細書において説明される１つまたは複数のオペレーションは、所与の実装において採用されない場合があることも認識されるべきである。
【００３３】
図３は、本件明細書において教示されるようなハンドオーバー・オペレーションを行うためのアクセス端末302（例えば、図1において、アクセス端末102に対応する）、フェムト・ノード304（例えば、アクセス・ポイント106に対応する）、およびマクロ・アクセス・ポイント306（例えば、アクセス・ポイント104に対応する）のようなノード内に組み込まれることができるいくつかのコンポーネントの事例を例示している。説明されたコンポーネントはまた、通信システムにおける他のノード内に組み込まれてもよい。例えば、システムにおける他のノード（例えば、他のアクセス・ポイント）は、同様の機能性を提供するためにフェムト・ノード304および／またはマクロ・アクセス・ポイント306について説明されるものと同様のコンポーネントを含んでもよい。
【００３４】
図3に示されているように、ノード302、304、および306は、他のノードと通信するための送受信機308、310、および312をそれぞれ含む。送受信機308は、信号（例えば、メッセージ）を送るための送信機314、および信号（例えば、構成関連の情報を含む）を受信するための受信機316を含む。送受信機310は、信号を送るための送信機318、および信号を受信するための受信機320を含む。送受信機312は、信号を送るための送信機322、および信号を受信するための受信機324を含む。
【００３５】
図３のノードはまた、本件明細書において教示されるようなハンドオーバー・オペレーションと一緒に使用されることができる他のコンポーネントも含む。例えば、ノード302、304、および306は、本件明細書において教示されるような他のノードとの通信を管理するため（例えば、メッセージ／指示を送信および受信する）、および他の関連する機能性を提供するための通信コントローラー326、328、および330をそれぞれ含んでいてもよい。また、１つまたは複数のノード302、304、および306は、本件明細書において教示されるようなハンドオーバー関連オペレーションを行うため、および他の関連する機能性を提供するためのハンドオーバー・コントローラー332、334、および336をそれぞれ含んでいてもよい。１つまたは複数のノード302、304、および306は、本件明細書において教示されるような近接性関連オペレーション（例えば、アクセス端末302がフェムト・ノード304の近傍にあるかどうかを決定すること）を行うため、および他の関連する機能性を提供するための近接性決定装置338、340、および342をそれぞれ含んでいてもよい。図3のその他のコンポーネントのオペレーションの事例が以下で説明される。
【００３６】
便宣上、図3のノードは、図4−12と一緒に以下で説明される様々な例において使用されることができるコンポーネントを含んでいるよう図示されている。実際には、１つまたは複数の例示されたコンポーネントは、所与の事例において使用されなくてもよい。一例として、いくつかの実装において、アクセス端末302は、近接性決定装置338および／またはノード固有閾値（複数）344を含まなくてもよい。他の例として、ある実装において、フェムト・ノード304は、１つまたは複数の近接性決定装置340および／またはメトリクス346を含まなくてもよい。さらに他の例として、ある実装において、マクロ・アクセス・ポイント306は、近接性決定装置342を含まなくてもよい。
【００３７】
さらに、所与のノードは、１つまたは複数の説明されたコンポーネントを含んでもよい。例えば、ノードは、ノードが複数の周波数上で同時に作動することを可能にしおよび／またはノードが異なるタイプの技術（例えば、有線および／またはワイヤレス技術）によって通信することを可能にする複数のトランシーバー・コンポーネントを含んでもよい。
【００３８】
さて図4を参照し、マクロ・ネットワーク上で通信をしているアクセス端末が、関連するフェムト・ノード（例えば、ホーム・フェムト・ノード）に接近するとき、アクセス端末がフェムト・ノードからサービスを受信するように、フェムト・ノードにアクセス端末をハンドオーバーすることが望ましいかもしれない。しかしながら、実際には、ハンドオーバーのためにアクセス端末がフェムト・ノードに十分に近いかどうかを決定するためにフェムト・ノードからの信号についてスキャニングをするようアクセス端末に要求することは、望ましくないことかもしれない。例えば、そのようなスキャニングが頻繁に行なわれると、アクセス端末の通話時間は相当減らされるかもしれない。
【００３９】
図4は、フェムト・ノードが、ハンドオーバー・オペレーションを実施するためにアクセス端末からの信号についてモニタリングをするスキームを説明する。ここで、フェムト・ノードが軽くロードされるかもしれないので、これらのモニタリング・オペレーションは、フェムト・ノードのパフォーマンスに著しく影響を及ぼさないかもしれない。このスキームは、アクセス端末がフェムト・ノードについてスキャニングをすることを必要とし、およびネットワークがハンドオーバー・オペレーションのためにネットワーク内のフェムト・ノードの位置を常に把握することを必要とせずにハンドオーバーを達成するための効率的な方法を提供することができる。例示のために、図４のオペレーションは、図３のノードの文脈において説明される。
【００４０】
ブロック402によって示されるように、ある時点において、（例えば、フェムト・ノード304が展開されるまたは初期化されるとき）フェムト・ノード304は、ネットワークに登録をする。この登録といっしょに、マクロ・ネットワーク（例えば、マクロ・アクセス・ポイント206）は、（例えば、フェムト・ノード304が本件明細書において教示されるように制限されている場合）どのアクセス端末がフェムト・ノード304にアクセスすることを許されるかを見つけることができる。
【００４１】
ブロック404によって示されるように、ある時点においてアクセス端末302は、マクロ・ネットワークとアクティブ通信状態にある（例えば、アクセス端末は、マクロ・アクセス・ポイント306との接続を確立する）。この通信を可能にするために、マクロ・ネットワーク（例えば、マクロ・アクセス・ポイント306）は、アクセス端末に１セットの資源を割り当てる。そのような資源は、例えば、アクティブなセットのメンバー、アクセス・ポイントがマクロ・ネットワークと通信することができる１つのチャネルまたは複数のチャネル、スクランブリング・コード、およびアクセス端末によって使用されるMAC ID資源に関係してもよい。
【００４２】
ブロック406によって示されるように、アクセス端末302に割り当てられている資源のことをフェムト・ノード304に知らせるメッセージがフェムト・ノード304に送られる。ある場合において、このメッセージは、ネットワーク・エンティティ（例えば、マクロ・ネットワークにおいて作動するアクセス端末をモニタリングする中央サーバー）によって送られる。ある場合において、このメッセージは、マクロ・アクセス・ポイント（例えば、フェムト・ノードの近隣におけるマクロ・アクセス・ポイント、またはアクセス端末を現在サービスしているアクセス・ポイント）によって送られる。ある場合において、このメッセージは、アクセス端末によって送られる。
【００４３】
この資源情報は、様々な時間においてフェムト・ノード304に送られてもよい。例えば、ある場合において、上記のブロック402で説明されたように、この情報は、フェムト・ノード304がネットワークに登録をするとき（例えば、フェムト・ノード304が登録をするとき、アクセス端末302がアクティブであれば）送られてもよい。ある場合において、フェムト・ノード304がこの情報を要求してもよい。
【００４４】
ある場合において、アクセス端末302がフェムト・ノード304の定義された近傍にあると決定されることを条件として、この情報がフェムト・ノード304へ送られるようにしてもよい。例えば、アクセス・ポイント306（例えば、近接性決定装置342）、アクセス端末302（例えば、近接性決定装置338）、またはいくつかの他のノードは、フェムト・ノード304の位置を示す情報を維持することができる。加えて、アクセス端末302がフェムト・ノード304の近傍にあるときを決定することができるように、これらのエンティティのいずれかがアクセス端末302の位置を追跡することができる。いくつかの場合において、アクセス端末302がフェムト・ノード304の近傍にあるという表示は、資源情報と独立にフェムト・ノード302に送られてもよい。
【００４５】
ある場合において、メッセージは、フェムト・ノード304（例えば、近接性決定装置340）がアクセス端末302の位置を決定するために使用することができる情報を含んでもよい。例えば、メッセージは、アクセス端末302の位置またはアクセス端末302からのパイロット強度報告を含んでもよい。
【００４６】
ブロック408によって示されるように、フェムト・ノード（例えば、受信機320と協同するモニター348）は、次に、アクセス端末302を検出するために、示された資源をモニタリングすることができる。例えば、フェムト・ノード304は、アクセス端末302によって送信される信号についてモニタリングするためにフェムト・ノード304の現在の作動周波数帯域から他の帯域にチューニングをすることができる（例えば、資源によって特定された周波数帯域へ切り替える）。ここで、フェムト・ノード304は、受信した資源情報に基づいて、どのチャネルまたはどの複数のチャネル（例えば、アクセス・チャネル、コントロール・チャネル、データ・チャネル）をモニタリングするべきかを決定することができる。
【００４７】
ある実装において、フェムト・ノード304は、周波数分割二重送信方式を採用し、そのことにより、アクセス端末302からの信号についてモニタリングのためのチューニングのために現在の送信を中断しなくてもすむようにすることができる。ここで、フェムト・ノード304は、マクロ・ネットワークにチューニングすることによってアクティブな通信を引き続き維持することができるように、マクロ・ネットワークの制御チャネルに対して一定のオフセットを施してフェムト・ノード304の制御チャネルを調整することができる。
【００４８】
ある実装において、フェムト・ノード304は、複数の受信機を含んでいてもよい。そのような場合、フェムト・ノード304は、現在の周波数帯域から周波数を変えてチューニングを行なわなくても、別の周波数帯域（例えば、マクロ・チャネル）でアクセス端末302からの信号についてのモニタリングをすることができる。
【００４９】
ブロック408のオペレーションは、様々な時間において行われてもよい。例えば、あるシナリオにおいて、フェムト・ノード304は、アクセス端末302からの信号について継続的にモニタリングをするよう構成されていてもよい。あるシナリオにおいて、フェムト・ノード304は、アクセス端末302がアクティブであるという表示を受信するとき、アクセス端末302からの信号についてモニタリングをするように構成されていてもよい。あるシナリオにおいて、アクセス端末302がフェムト・ノード304の近傍にあるとき、フェムト・ノード304は、アクセス端末302からの信号についてモニタリングをするように構成されていてもよい。
【００５０】
ブロック410によって示されているように、フェムト・ノード304がアクセス端末302を検出したら、フェムト・ノード304は、マクロ・ネットワークに、アクセス端末302をフェムト・ノード304へリダイレクトせよというメッセージを送信することができる。例えば、フェムト・ノード304（例えば、ハンドオーバー・コントローラー334）は、アクセス端末302を現在サービスしているマクロ・アクセス・ポイント306にメッセージを送ることができ、それによって、そのメッセージが、アクセス端末302をハンドオーバーせよとマクロ・アクセス・ポイント306に命令する。ここで、アクセス端末302の検出は、閾値より大きいまたは等しい信号強度を有するアクセス端末302からの信号の受信によって示されることができる。
【００５１】
ブロック412によって示されているように、そのようなメッセージに応答して、ソース・アクセス・ポイント（例えば、ハンドオーバー・コントローラー336）は、ハンドオーバー・オペレーションを開始することができる。これは、例えば、ソース・アクセス・ポイント306からフェムト・ノード304（ターゲット・アクセス・ポイント）へアクティブ・コール・コンテキストを伝送することを伴ってもよい。このアクティブ・コール・コンテキストは、例えば、現在アクティブであるサービス・オプションおよびそれに割り当てられるチャネルのタイプを示してもよい。マクロ・アクセス・ポイント306（例えば、ハンドオーバー・コントローラー336）は、次に、ハンドオーバーを実行するために、リダイレクト・メッセージをアクセス端末に（例えば、ハンドオーバー・コントローラー332に）送ることができる。利点として、そのような分散化されたハンドオーバー・スキームの使用によって、マクロ・ネットワークは、ハンドオーバー・オペレーションのためのターゲット・フェムト・ノードを識別するためにネットワーク内のすべてのフェムト・ノードの位置の中央データベースを維持する必要がない。
【００５２】
ターゲット・アクセス・ポイントがハンドオーバー・オペレーションを起動する場合において、ハンドオーバーが成功することを確実にするのを助けるために追加の手順が採用さてもよい。例えば、ハンドオーバーを行なうための前提条件として、アクセス端末がターゲット・アクセス・ポイントの近傍にあるかどうか、および／またはアクセス端末がターゲット・アクセス・ポイントからの信号を受信することができるかどうかの決定がなされてもよい。図5および図7は、このような潜在的に、より頑強なハンドオーバー・スキームを提供するために採用されることができるいくつかのオペレーションを説明する。上記と同様に、図5および図7のオペレーションは、例示のために図3のノードの文脈において説明される。
【００５３】
ブロック502によって示されているように、フェムト・ノード304（例えば、モニター348）は、アクセス端末302からの信号についてモニタリングをする。例えば、フェムト・ノード304は、フェムト・ノード304と関連すると予期されるアクセス端末の長コード（例えば、分散コード）と関連するトラフィックを捜すマクロ・チャネルの逆方向リンク上の信号についてスニッフをすることができる。
【００５４】
ブロック504によって示されているように、フェムト・ノード304がアクセス端末302からの信号を検出する場合に、フェムト・ノード304（例えば、モニター348）は、アクセス端末302がフェムト・ノード304の近傍にあることを検証しようと試みてアクセス端末302からの信号についてモニタリングをすることを継続することができる。ここで、フェムト・ノード304は、アクセス端末によって送信されるメッセージについてモニタリングをすることができる。フェムト・ノード304は、前記アクセス端末の長コードを知っており、および追跡する。
【００５５】
ある場合において、フェムト・ノード304は、アクセス端末302によってマクロ・ネットワークへ伝送されるパイロット強度測定メッセージについてモニタリングをする。これらのパイロット強度測定メッセージは、アクセス端末302において見られるようなマクロ・ネットワーク・パイロットの受信信号強度を示す。フェムト・ノード304（例えば、近接性決定装置340）は、次に、これらのパイロット強度を、フェムト・ノード304によって維持される同様のメトリクス346と比較してもよい。
【００５６】
そのようなメトリクスの一例が図6を参照して説明される。ここでは、一連のマクロ・カバレッジ・セルが六角形602によって図示されている。異なるセルもまた、異なるPNシーケンス番号（つまり、PN１−PN７）によって示されている。フェムト・ノード304の位置は、シンボル604によって表わされている。フェムト・ノード304は、マクロ・ネットワークと独立の搬送波上または同じ搬送波上で展開されることができる。シンボル604からの矢印は、マクロ搬送波上のフェムト・ノード304の近くで見られるような異なるマクロ・ネットワークの近隣物の強度およびRTDを示している。
【００５７】
ある態様において、フェムト近傍は、マクロ・ネットワークとの関係において、展開されているフェムト・ノード304の位置に基づいて定義されることができる。例えば、フェムト・ノード304において受信されたいくつかのマクロ・パイロットに関連する情報、またはフェムト・ノードのGPS位置に基づく一組のベクトル（例えば、三角測量ベクトル情報）が、フェムト近傍を定義するために使用されることができる。ここで、マクロ・パイロット情報は、例えば、各近隣のマクロ・セルについてフェムト・ノード304において測定されるようなマクロ・パイロットEcp/Ioを具備してもよい。加えてまたは代替的に、マクロ・パイロット情報は、フェムト・ノード304と各近隣のマクロ・セルとの間のRTDに関係する情報を具備してもよい。
【００５８】
このフェムト近傍の使用によって、フェムト・ノード304および／またはマクロ・ネットワークは、アクセス端末302がフェムト・ノード304の近くにあるかどうかを決定することができる。例えば、アクセス端末302において測定されるマクロ・パイロットEcp/Ioベクトルが、フェムト・ノード304において測定されるマクロ・パイロットEcp/Ioベクトルと十分に類似する場合に、アクセス端末302がフェムト・ノード304の近傍にあると決定することができる。ここで、フェムト・ノード304の特定の近傍は、例えば、フェムト・ノード304の実際のベクトルからの特定の偏差として定義されてもよい。そのような場合において、アクセス端末302と関連するベクトルがフェムト・ノード304のベクトルに対して特定の偏差内に収まる場合、アクセス端末302は、フェムト・ノード304の近傍にあるとみなすことができる。
【００５９】
ある場合において、ブロック504において、フェムト・ノード304は、アクセス端末302によって（例えば、候補周波数検索コントローラー350によって）送信される候補周波数検索報告についてモニタリングをすることができる。ここで、アクセス端末302がフェムト・ノード304から信号（例えば、パイロット信号）を受信するのに十分に近い場合、アクセス端末302によって生成される候補周波数検索報告は、この信号が受信されたことおよび対応する信号強度を示してもよい。したがって、フェムト・ノード304は、アクセス端末302によって生成される候補周波数検索報告を獲得および分析することによって、アクセス端末302がフェムト・ノード304の近傍（例えば、フェムト・ノード304のカバレッジ・エリア内）にあるかどうかを決定することができる。例えば、この決定は、フェムト・ノード304からアクセス端末302が受信する信号のEcp/Ioが閾値よりも大きいかまたは同等であるかに基づいてなされてもよい。
【００６０】
ブロック506によって示されるように、アクセス端末302がフェムト・ノード304の近傍にあると決定される場合に、フェムト・ノード304は、ハンドオーバー関連のオペレーションをトリガするためのメッセージをマクロ・ネットワークに送ることができる。例えば、ある場合において、このメッセージは、ハンドオーバーを起動するための要求であってもよい。
【００６１】
代替的に、ある場合において、このメッセージは、アクセス端末302において候補周波数検索を実施せよとの要求であってもよい。これらの場合において、アクセス端末302がフェムト・ノード304から信号を受信していることを検証するために追加のオペレーションが実行される。そのようなメッセージは、例えば、アクセス端末302を現在サービングしているマクロ・アクセス・ポイント306に向けられてもよい。
【００６２】
ブロック508によって示されているように、マクロ・アクセス・ポイント306は、ブロック506において送られたメッセージを受信すると、適切なハンドオーバー関連オペレーションを開始する。上で述べたように、ある場合において、これは、ハンドオーバー・オペレーションを起動するマクロ・アクセス・ポイント306（例えば、ハンドオーバー・コントローラー336）を単に伴うものであってもよい。
【００６３】
上で述べられたように、ある場合において、マクロ・アクセス・ポイント306（例えば、候補周波数検索コントローラー352）は、アクセス端末302において候補周波数検索を実施せよとのメッセージをアクセス端末302に送ることができる。この要求に応答して、アクセス端末302（例えば、候補周波数検索コントローラー350）は、検索を行い、およびマクロ・アクセス・ポイント306へ報告を送り返す。この報告に基づいて、マクロ・アクセス・ポイント306（例えば、ハンドオーバー・コントローラー336）は、ハンドオーバーを実行するかどうかを決定することができる。
【００６４】
ブロック510によって示されているように、ハンドオーバーが指示される場合には、マクロ・アクセス・ポイント306、フェムト・ノード304、およびアクセス端末302は、本件明細書において議論されたようにハンドオーバーを実行するために協同することができる。
【００６５】
これから図7を参照し、スキームが説明さる。このスキームによって、ソース・アクセス・ポイントは、アクセス端末がターゲット・アクセス・ポイントの近傍にあるかどうかの決定に基づいて、ターゲット・アクセス・ポイントによってトリガされるハンドオーバー・オペレーションを進めるかどうかを決定することができる。ある態様において、このスキームは、ターゲット・アクセス・ポイントと関連する近傍メトリクスに基づいている。
【００６６】
ブロック702によって示されるように、フェムト・ノード304（例えば、モニター348）は、アクセス端末302からの信号についてモニタリングをする。ここで、フェムト・ノード304は、様々なマクロ・チャネルの逆方向リンク上のチャネル・エレメントを、アクセス端末302からの信号の検出専用にしてもよい。例えば、フェムト・ノード304は、アクセス端末302の長コードと関連する信号を検出することができ、および、次に、受信信号強度が閾値より大きいかまたは等しいかを決定するために信号を処理することができる。
【００６７】
本件明細書において論じられたように、いくつかの実装において、ある指定されたアクセス端末のみがフェムト・ノード304にアクセスすることが許されてもよい。そのような場合において、フェムト・ノード304は、（例えば、本件明細書において説明されたようなトリガに基づいて）これらのアクセス端末についてモニタリングをするようにのみ構成されていてもよい。ここで、フェムト・ノード304は、特定のアクセス端末についてスキャニングをしているとき、領域内の異なるマクロ・チャネルの上で、および潜在的に多数のユーザにわたって、固有のアクセス端末の各々を捜し求めて時分割をすることができる。
【００６８】
また、フェムト・ノード304は、複数のマクロ・チャネルをスキャニングするために、これらのマクロ・チャネルが連続的に隣接している場合に、広帯域受信機を採用してもよい。例えば、フェムト・ノードは、アクセス端末から何らかのエネルギーを検出することができるかどうかを見るために、全てのチャネルにわたって特定のアクセス端末の長PNシーケンスについてスキャニングをすることができる。利点として、本件技術は、各々の固有のアクセス端末について、すべてのマクロ・チャネルを１つずつホップして行かなくてはならないという必要性をなくすまたは減らすことができる。代替的に、フェムト・ノード304は、アクセス端末の長PNシーケンスについてスキャニングをするとき、アクセス端末ごとに１つのスキャニング・エレメントを専用化してもよい。
【００６９】
ブロック704によって示されているように、そのような信号が検出されると、フェムト・ノード304は、そのような信号が受信されたことを示すメッセージをマクロ・アクセス・ポイント306に送ることができる。加えて、フェムト・ノード304は、（例えば、同じメッセージにおいて、または異なるメッセージにおいて）１つまたは複数のメトリクスをマクロ・アクセス・ポイント306に送ることができる。ここで、メトリクス情報は、マクロ・アクセス・ポイント306がその情報をあとで使用するその時にマクロ・アクセス・ポイント306に送られるようにしてもよい。利点として、マクロ・アクセス・ポイント306は、ハンドオーバー・オペレーションにおける使用のために自身のカバレッジ・エリア内の全てのフェムト・ノード（例えば、比較的大きい数のフェムト・ノードでありうる）のメトリクス情報を維持する必要はない。
【００７０】
ブロック709によって示されているように、フェムト・ノード304からメッセージを受信することは、マクロ・アクセス・ポイント306におけるハンドオーバー関係オペレーションをトリガする。特に、マクロ・アクセス・ポイント306（例えば、近接性決定装置342）は、受信したメトリクス情報、およびアクセス端末302の位置に関係するマクロ・アクセス・ポイント306が獲得する情報に基づいて、アクセス端末302がフェムト・ノード304の近似にあるかどうかを決定する。
【００７１】
上で論じられたように、ある場合において、メトリクスは、パイロット信号強度測定に関係してもよい。マクロ・アクセス・ポイント306は、アクセス端末302が近隣のマクロ・アクセス・ポイントから受信する信号と関連するパイロット信号強度を示すパイロット強度測定メッセージをアクセス端末302から受信することができる。この場合において、マクロ・アクセス・ポイント306は、アクセス端末302がフェムト・ノード304の近傍にあるかどうかを決定するために、これらのメトリクスを、アクセス端末302から受信した対応するパイロット信号強度メトリクスと比較することができる。様々な実装において、アクセス端末302は、パイロット強度測定メッセージを周期的にまたはマクロ・アクセス・ポイント306による要求に応答して送ることができる。
【００７２】
ある場合において、メトリクスは、RTDに関係してもよい。例えば、マクロ・アクセス・ポイント306は、アクセス端末302から、アクセス端末302の近隣物であるいくつかのマクロ・アクセス・ポイントまでのRTD値を決定することができる。マクロ・アクセス・ポイント306は、次に、アクセス端末302がフェムト・ノード304の近傍内にあるかどうかを決定するために、これらのメトリクスを、フェムト・ノード304から受信した対応するRTDメトリクスと比較することができる。例えば、パイロット強度測定報告メッセージは、所与のマクロ・パイロットについての位相を基準パイロットの位相と関係付ける位相情報を含んでもよい。基準パイロットに対するRTDが与えられるとすると、他のパイロットに対するRTDが計算されることができる。このRTD情報は、次に、フェムト・ノード304から受信されるRTDメトリクスと比較されてもよい。
【００７３】
ある場合において、メトリクスは、GPS情報に関係してもよい。例えば、マクロ・アクセス・ポイントは、少なくとも３つのマクロ基地局を含めとアクセス端末302のアクティブ・セットに強制してもよい。マクロ・アクセス・ポイント306は、それによって、アクセス端末302がマクロ・パイロットの基地局から受信するマクロ・パイロットに基づいて、アクセス端末の位置を三角化することができる。マクロ・アクセス・ポイント306は、次に、この位置情報を、フェムト・ノード304によって提供されるGPS情報と比較することができる。
【００７４】
ブロック708によって示されるように、アクセス端末302がフェムト・ノード304の近傍にあることをマクロ・アクセス・ポイント306が決定すると、マクロ・アクセス・ポイント306（例えば、候補周波数検索コントローラー352）は、候補周波数検索を行なうよう要求をアクセス端末302に送ることができる。このようにして、マクロ・アクセス・ポイント306は、アクセス端末302がフェムト・ノード304のカバレッジ・エリアにあることをさらに検証することができる。
【００７５】
ブロック710によって示されるように、マクロ・アクセス・ポイント306（例えば、ハンドオーバー・コントローラー336）は、上記のことに基づいて、ハンドオーバーを行なうかどうかを決定することができる。アクセス端末302は、次に、ハンドオーバーが指示されるとき、フェムト・ノード304にハンドオーバーされることができる。
【００７６】
次に図8を参照し、１セットの近隣のアクセス・ポイントのどのアクセス・ポイントが意図されたターゲット・アクセス・ポイントであるかに関して、ある条件のもとで混乱が生じる場合がある。例えば、多くのフェムト・ノードが採用される場合には、これらのフェムト・ノードによって使用される識別子が再使用される場合があるので、そのような場合、２つ以上のフェムト・ノードが、同じ識別子を使用するかもしれない。例として、２つ以上のフェムト・ノードが、所与のエリアにおいて同じ擬似乱数雑音（PN）シーケンスを使用することがある。図８は、そのような状況のもとでハンドオーバーを行うために使用されることができるスキームを説明する。再び、これらのオペレーションは、図３を参照して説明される。
【００７７】
ブロック802によって示されるように、ある時点で、マクロ・アクセス・ポイント306は、本件明細書において議論されたようなハンドオーバー関係オペレーションを開始する。例えば、マクロ・アクセス・ポイント306またはターゲット・アクセス・ポイントは、ターゲット・アクセス・ポイントにハンドオーバーされるべきアクセス端末を識別してもよい。
【００７８】
ブロック804によって示されるように、マクロ・アクセス・ポイント306は、本件明細書において議論されたようにアクセス・端末302に候補周波数検索要求を送ってもよい。ある実装において、この要求は、ターゲット・アクセス・ポイントの識別子（例えば、フェムト・ノード304によって使用されるPNシーケンス）を含んでもよい。
【００７９】
ブロック806によって示されるように、アクセス端末302は、要求された候補周波数検索を行い、およびマクロ・アクセス・ポイント306へ報告を送り返す。ここで、前記報告は、例えば、アクセス端末302によって受信されたパイロット信号（例えば、PNシーケンス）を識別することができる。上で述べられたように、ある場合において、この報告は、複数のフェムト・ノードが同じPNシーケンスを使用していることを示すことができる。
【００８０】
ブロック808によって示されるように、マクロ・アクセス・ポイント306（例えば、ハンドオーバー・コントローラー336）は、ターゲット・アクセス・ポイントに関してあいまいさがあることを示す候補周波数検索報告を受信すると、候補周波数検索報告によって識別されたフェムト・ノードの各々にハンドオーバー命令を送ることを選ぶことができる。例えば、マクロ・アクセス・ポイント306は、識別されたフェムト・ノードの各々に同じセットのチャネル割り当てパラメーターを送ってもよい。このようにして、アクセス端末302がターゲット・フェムト・ノードにリダイレクトされるとき、アクセス端末302が通信を終了するところのフェムト・ノードはすべて、適切な情報を共有する。他のフェムト・ノードは、次に、それらのハンドオーバー・オペレーションを最終的に中止する。
【００８１】
ある実装において、アクセス端末が、ハンドオーバー関係オペレーションを起動してもよい。例えば、アクセス端末は、フェムト・ノードの位置を決定するために、関連するフェムト・ノードの同一性を示す情報を維持し、およびオン周波数スキャンおよびオフ周波数スキャンを行なうことができる。フェムト・ノードの位置がいったん決定されると、アクセス端末は、フェムト識別子を提供することができる（例えば、アクセス端末は、マクロ・アクセス・ポイントがフェムト・ノードと通信するために使用することができるIPアドレスまたはいくつかの他の識別子を維持することができる）。マクロ・アクセス・ポイントは、次に、アクセス端末をフェムト・ノードへハンドオーバーするためにフェムト・ノードとの通信を確立するために、この情報を使用することができる。
【００８２】
次に図9を参照し、ある場合において、フェムト固有の閾値が、アクセス端末による使用のために指定されてもよい。これらのオペレーションもまた、図３を参照して説明される。
【００８３】
ブロック902によって示されているように、アクセス端末302は、（例えば、移動性管理装置のようなネットワーク・ノードから、またはマクロ・アクセス・ポイントから）フェムト固有の閾値を受信することができる。ある場合において、この閾値は、特定のフェムト・ノード（例えば、フェムト・ノード304）のために指定されてもよい。ある場合において、この閾値は、１セットのフェムト・ノード（例えば、ネットワーク内に展開されるフェムト・ノードの全てまたは一部）について指定されてもよい。すなわち、マクロ・アクセス・ポイントからの信号を検出するために使用されるものとは異なる閾値が、フェムト・ノードからの信号を検出するために使用されてもよい。
【００８４】
ブロック904によって示されるように、アクセス端末302は、候補周波数検索報告を行うための要求を選択的に受信してもよい。ここで、要求は、特定のフェムト固有の閾値と関連するターゲット・フェムト・ノードの識別子（例えば、PNシーケンス）を含んでいてもよい。
【００８５】
ブロック906によって示されるように、アクセス端末302は、指定された閾値を使用してターゲット・フェムト・ノードからの信号について候補周波数検索を行う。アクセス端末302は、次に、ソース・マクロ・アクセス・ポイントにおいてハンドオーバー・オペレーションをトリガするために、ブロック908において検索の結果を報告する。
【００８６】
本件明細書における教示はまた、マクロ・ネットワークがハンドオーバー・オペレーションを起動する実装にも適用可能である。例えば、マクロ・ネットワークは、展開されたフェムト・ノードの位置に関する情報（例えば、本件明細書において説明された近傍メトリクス）を維持することができ、またネットワークにおいてアクティブ（例えば、現在通話中）であるアクセス端末の現在の位置を追跡することもできる。あるアクセス端末が所望のターゲット・フェムト・ノードの近傍にあるとマクロ・ネットワークが決定すると、マクロ・ネットワークは、そのアクセス端末に候補周波数検索を行うよう要求することができる。本件明細書において議論されたように、検索の結果に基づいて、マクロ・ネットワークは、アクセス端末をターゲット・フェムト・ノードにハンドオーバーすることができる。
【００８７】
加えて、本件明細書において論じられたように、アクセス端末は、パイロット強度測定報告をマクロ・ネットワークに送ることができ、マクロ・ネットワークは、アクセス端末がターゲット・フェムト・ノードの近傍にあるかどうかを決定するためにこれらの報告を使用する。ここで、アクセス端末は、周期的に、または展開されたフェムト・ノードによってマクロ搬送波上で送信されるビーコンの検出の際に、この報告を送ることができる。
【００８８】
また、マクロ・ネットワークは、本件明細書において論じられたように、アクセス端末がターゲット・フェムト・ノードの近傍にあるかどうかを決定するために、パイロット強度測定メッセージと独立に使用するかまたは当該メッセージに加えて使用するかのいずれかでRTD測定を使用することができる。ネットワーク内のフェムト・ノードが（例えば、本件明細書において説明されるようなものに）制限されない実装において、マクロ・ネットワーク（例えば、ソース・マクロ・アクセス・ポイント）は、そのような非制限的フェムト・ノードが展開されるネットワークのリーチに関する情報で構成されてもよい。このようにして、マクロ・ネットワークは、これらのフェムト・ノードへのハンドオーバーをより効果的にサポートすることができる。
【００８９】
例えば、アクセス端末が、非制限的フェムト・ノードが展開されている領域に入るとき、マクロ・ネットワークは、アクセス端末が受信することができるフェムト・ノードPNの報告を獲得するために、指定されたフェムト・チャネルの候補周波数検索を起動することができる。ある実装において、マクロ・ネットワークは、アクセス端末の位置に基づいて、この候補周波数をトリガすることができる。ある実装において、マクロ・ネットワークは、所与のセクター（例えば、非制限的フェムト・セルが展開されることが知られているセクター）にわたってこの候補周波数検索をトリガすることができる。代替的に、フェムト・ノードは、マクロ・チャネル内のビーコンを送信することができ、それによって、アクセス端末がフェムト領域に入るごとに、アクセス端末は、このビーコンの受信を自動的に報告してもよい（例えば、フェムト・ビーコンの信号強度が閾値を超えるとき、報告が送られる）。
【００９０】
上で議論されたように、マクロ・ネットワークは、ネットワーク内のフェムト・ノードについての情報を維持することができる。この情報は、フェムト・ノードが展開される領域、および例えば、フェムト・ノードについてのPNシーケンス情報のような他の情報を含んでもよい。アクセス端末によって報告されたPNシーケンス情報に基づいて、マクロ・ネットワークは、報告されたPNシーケンスを有するフェムト・ノードのサブセットを識別することができる。マクロ・ネットワークは、次に、モバイル固有の情報とともにこのフェムト・ノードのサブセットへトリガを送り、適用可能なとき、そのフェムト・ノードをトリガしてハンドオーバー手順を実行する。
【００９１】
上記のことを念頭におき、本件明細書における教示にしたがって採用されることができるハンドオーバー・コールフロー・オペレーションおよびコンポーネントの一例が図10-16を参照してより詳細に説明される。図10は、ハンドオーバーが起動されたターゲットと一緒に採用されることができるコール・フロー手順の一例を例示している。ここで、フェムト・ノードは、アクティブ・コールがフェムト・ノードへハンドオーバーされるべきことを自主的に判断し、必要なチャネル資源を割り当て、およびフェムト・ノードにおいてハンドオーバー手順を起動する。
【００９２】
最初に、フェムト・ノードは、ハンドオーバー判定基準が満たされ、サポートされることができるということを決定する。フェムト・ノードは、次に、ハンドオーバー起動要求をマクロ・ネットワークに送る。この要求は、本件明細書において論じられたように、アクセス端末の識別子（例えば、IMSI）だけでなくフェムト近傍情報も含んでもよい。
【００９３】
マクロ・ネットワークは、ハンドオーバー起動を適切な応答により承認し、その後、その情報を維持する。アクセス端末がフェムトの近傍に入るとき、マクロ・ネットワークは、次に、フェムト・ノードの探索をトリガすることができる。決定がいったんなされると、マクロ・ネットワークは、ハンドオーバー要求メッセージをモバイル切換センター（MSC）ネットワーク・ノードに送る。
【００９４】
ターゲット・システム情報に基づいて、MSCは、ハンドオーバー要求をフェムト・ノードに送る。フェムト・ノードは、チャネル資源を割り当て、ハンドオーバー要求承認メッセージを介してMSCに情報を提供する。
【００９５】
MSCは、ハンドオーバー命令を介してマクロ・ネットワークに情報を転送する。
【００９６】
ソース・マクロ・ネットワークは、アクセス端末にチャネル割り当てを転送する。ここで、フェムト・ノードの獲得が失敗した場合に、アクセス端末がマクロ・ネットワークに戻ることができるように、マクロ・ネットワーク内のチャネル資源が維持されることを暗示するエラー・フラッグ上の返却がセットされてもよい。
【００９７】
マクロ・ネットワークは、チャネル割り当てがアクセス端末へ送られたことを示すためにハンドオーバー開始メッセージをMSCに送る。
【００９８】
フェムト・ノードは、アクセス端末を獲得し、承認をアクセス端末に送る。アクセス端末は、順方向リンクを獲得し、トラヒック・チャネル完了メッセージをフェムト・ノードに送る。
【００９９】
トラヒック・チャネル完了メッセージがいったん受信されると、フェムト・ノードは、ハンドオーバー完了メッセージをMSCに送る。こうして、ハンドオーバー手順は、完了し、およびフェムト・ノード上でコールが確立される。
【０１００】
図11は、マクロ・ネットワークが、フェムト・ノードから受信したメトリクスに基づいてハンドオーバーを行なうかどうかを決定する実装のためのコール・フローの一例を説明する。最初、アクセス端末（AT）は、マクロ・ネットワークとアクティブ接続状態にあって、１つまたは複数のセクターのアクティブ・セット割り当てを有している。
【０１０１】
上で議論されたように、フェムト・ノードは、特定のアクセス端末についてリッスンすることができる。フェムト・ノードは、アクセス端末をいったん検出すると、（例えば、「フェムトがATを受信する」というメッセージを介して）このフェムト・ノードへの潜在的ハンドオーバーのための手順を起動するようにマクロ・ネットワークをトリガする。フェムト・ノードは、いつアクティブ・コール・ハンドオーバー手順が成功することができるかに関する情報を維持している。上で議論されたように、この情報は、フェムト・ノードへのハンドオーバーの成功に帰結する、モバイル・ネットワーク内のアクセス端末の位置を識別するトリガ条件を具備してもよい。例えば、この情報は、フェムト・ノードの近隣のノードの異なるPNシーケンスの測定されたEcp/Io値、および異なるPNシーケンスでもって経験されるRTDを含んでもよい。
【０１０２】
フェムト・ノードは、アクセス端末からのトラヒックについてリッスンすることとは別に、フェムト・ノードからのパイロット信号をアクセス端末がどのくらい強く受信するかを決定するために（アクセス端末がマクロ・ネットワークへ送った）パイロット強度測定メッセージを復号してもよい。これは、例えば、周期的パイロット強度測定メッセージを送るようにアクセス端末に指示するマクロ・ネットワークによって達成されることができる。
【０１０３】
次に、フェムト・ノードがマクロ・チャネル上でビーコンを伝送していない場合、マクロ・ネットワークは、フェムト・ノードの位置を決定するために候補周波数検索を行い、および信号強度および関連するPN情報を報告するようモバイルに要求する。ここで、ハンドオーバーは、識別されたPNを持っている固有のフェムト・ノードのみに対して行われてもよい。
【０１０４】
上で述べられたように、ある場合において、他のフェムト・ノードが同じPNを使用してもよい。しかしながら、アクセス端末の長PNコードは、一様である。ターゲット・フェムト・ノードは、既知の長PNを使用してアクセス端末についてのスキャンをし、ハンドオーバーの起動時を決定することができる。ある態様において、ハンドオーバーの起動時の決定は、マクロ送信されたEcpおよびフェムト・ノードの境界における受信Ecp/Ioについての知識に基づいてもよい。ある態様において、ハンドオーバーの起動時の決定は、アクセス端末がダウンリンク境界にどのくらい近いかに基づいてもよい。ここで、マクロ・アクセス・ポイントがフェムト・ノードへアクセス端末Ecp/Ntおよびパイロット強度測定メッセージを提供するとすれば、そのような決定は、容易になされることができる。
【０１０５】
アクセス端末がフェムト・チャネル（例えば、フェムト・ノードに専用のチャネル）のスキャンに基づいてパイロットを報告するとき、アクセス端末は、領域内でパイロットの再使用がある場合に、どのフェムト・ノードがパイロットを送ったかについての特定の知識によらずにパイロットを探す場合がある。したがって、マクロ・ネットワークが検出ミスに遭遇する可能性がある。ここで、フェムト・ノードについてのスキャニングがアクティブ・コール・ハンドオーバーのためにトリガされるとき、検出は、マクロ・アクセス・ポイントのRTDおよびEcp/Ioの使用によって容易にされることができる。
【０１０６】
マクロ・アクセス・ポイントのEcp/Ioはまた、ハンドオーバー境界を決定するために使用されることができる。例えば、フェムト・ノード・ビーコンが電力を送信し、および逆方向リンク・パッドがリンク均衡のために選択される場合（またはリンクが均衡化されておらず、かつ、不均衡が知られている場合）、フェムト・ノードにおけるアクセス端末からの受信Ecpが、ハンドオーバー境界を決定するために使用されることができる。
【０１０７】
このEcp/Ioはまた、ハンドオーバー境界を決定するためにマクロ・アクセス・ポイントにおいてRTDと一緒に使用されてもよい。
【０１０８】
マクロ・ネットワークは、マクロ・ネットワーク上のアクセス端末のためのアクティブ・セットに、アクセス端末の正確な位置を検出し、および特定のフェムト・ノードによって識別されるようなハンドオーバーのためのトリガ条件を識別するよう強制してもよい。上で議論されたように、フェムト・ノードは、マクロ・ネットワークへフェムトの近傍情報を提供することができる。この情報は、異なるマクロ・アクセス・ポイント（異なるPN）のRTD、Ecp、およびEcp/Ioの形式であってもよい。これにより、マクロ・アクセス・ポイントは、フェムト・ノードのフェムトの近傍によって識別されたパイロットに一致するようにアクティブ・セット・パイロットをセットすることができ、その結果、マクロ・アクセス・ポイントは、アクセス端末がフェムト・ノードの近傍にあるかどうかを検出することができる。
【０１０９】
これらの手順は、アクセス端末がフェムトの近傍に入るときをマクロ・ネットワークが検出することを可能にするために何度か（例えば、いくらかの後退をともなって）実行されてもよい。
【０１１０】
図11を参照して、ハンドオーバー判定基準がいったん満たされると、マクロ・ネットワークは、ターゲット・フェムト・ノードにトリガを提供する。
【０１１１】
フェムト・ノードは、次に、トラフィック・チャネルを割り当て、マクロ・ネットワークへのハンドオーバーのためにチャネル割り当て情報を提供する。
【０１１２】
次に、マクロ・ネットワークは、フェムト・ノードへハンドオーバーするようアクセス端末にトリガするために、ハンドオーバー・メッセージをアクセス端末に送る。ここで、マクロ・ネットワークは、エラー表示の返却と一緒にハンドオーバー命令を送ってもよい。アクセス端末に対するこのトリガはまた、アクセス端末がオフ周波数スキャンを行い、およびフェムト・ノードPNを報告するために、マクロ・ネットワーク内にある間にアクセス端末に命令を送るために使用されてもよい。このようにして、ハンドオーバーが成功するという追加的保証が得られることができる。
【０１１３】
アクセス端末は、次に、フェムト・ノード上で接続を確立する。上で述べたように、このハンドオーバー手順が失敗したら、アクセス端末は、マクロ・ネットワークから以前のトラフィック・チャネルへ戻ってもよい。
【０１１４】
図12は、アクセス端末がフェムト・ノードからの情報を収集し、およびハンドオーバーをトリガするためにマクロ・ネットワークへ情報を転送するコール・フロー・シナリオの事例を説明する。ここで、アクセス端末は、フェムトの近傍情報を維持することができ、およびフェムト・ノードの位置を決定するためにフェムト・ノードによって使用されるチャネル（例えば、専用のフェムト・チャネル）をスキャニングすることができる。これは、マクロ・チャネル・オペレーションにおける小規模な停止という結果となりうるので、これらの停止期間の間に電力レベルが恣意的に増加させられるのを防ぐための対処がなされてもよい。フェムト・ノードがいったん位置決定されると、アクセス・端末は、ハンドオーバーを行うための要求をマクロ・ネットワークに送る。
【０１１５】
ある場合において、これは、フェムト固有の識別子を得るためにアクセス端末がチャネル（例えば、同期チャネル）をモニタリングすることを伴ってもよい。この目的のために、フェムト・ノードは、アクセス端末が自身のスキャンの間に獲得することができる明確な固有の識別子を無線上で送信することができる。アクセス端末は、この識別子をマクロ・ネットワークに転送するので、マクロ・ネットワークは、ハンドオーバー・オペレーションのためにフェムト・ノードを識別することができる。
【０１１６】
アクセス端末がフェムト・ノード上で獲得されるとき、アクセス端末は、マクロ・ネットワークにおけるフェムトの近傍を記録するためにマクロ・ネットワークのオフ周波数スキャニングを行うことができる。この情報は、引き続いて起こるフェムト・ノードについてのスキャニングのトリガリングのために保持されてもよい。ある実装において、アクセス端末は、フェムト・ノードの位置を決定するためにオフ周波数スキャンを起動する際に使用されるべき広い範囲のマクロ・パイロット強度を利用可能にするために比較的保守的な方法で構成されてもよい。フェムトの近傍に関する情報は、頻繁なスキャニングを防ぐため、およびアクセス端末の電力寿命を最適にするために望遠鏡式のフェムト・ノード・スキャン・イベントと結合されてもよい。例えば、アクセス端末は、アクセス端末がフェムト・ノードに近いかどうかを決定するためにマクロ・パイロット信号を最初にモニタリングしてもよい。アクセス端末が、フェムト・ノードの近くであるといったん決定すると、アクセス端末は、フェムト・ノードからの信号（例えば、PNシーケンス、フェムト識別子）をスキャニングする。
【０１１７】
これから図12のコール・フローを参照し、最初にアクセス端末がマクロ・ネットワークと関連させられる。上で述べられたように、アクセス端末は、フェムトの近傍情報を維持する。フェムトの近傍情報に基づいて、アクセス端末は、フェムト・ノードを捜すオフ周波数スキャンを起動することができる。
【０１１８】
上で論じられたように、フェムト・ノードは、（例えば、同期チャネルにおいて）フェムト固有の情報をブロードキャストする。アクセス端末は、このオフ周波数スキャンの間に同期チャネルを読み出し、（例えば、信号レベルが閾値よりも上であるとき）フェムト固有の情報を得る。ここで、アクセス端末は、この検索を、アクセス端末が関連すると予期するフェムトPN（例えば、ホーム・フェムト・ノードと関連するPN）に制限することができる。アクセス端末は、時間内に間隔をおいていくつかの測定をしてもよく、およびこれらの測定（例えば、線形平均値）に基づいてパイロット強度を計算してもよい。
【０１１９】
最後に、マクロ・ネットワークに、フェムト・ノードへのハンドオーバーを起動するためのトリガが送られる。マクロ・ネットワークは、フェムト・ノードにフェムト固有の識別子を翻訳し、ハンドオーバー手順を起動する。
【０１２０】
ある実装において、迅速セル識別子チャネル機能を提供するために、存在する同期チャネルを使用する代わりに、独立ウォルシュ（Walsh）コードが割り当てられてもよい。そのようなチャネルは、パイロット・チャネルと同期的であってもよく、およびアクセス端末にセル識別子を提供してもよい。
【０１２１】
上で述べられたように、本件明細書における教示は、マクロ・アクセス・ポイント、フェムト・ノード、中継ノードなどを採用するネットワーク内で実装されてもよい。図13および図14は、そのようなネットワークにおいて、どのようにアクセス・ポイントが展開されることができるかの一例を例示している。図13は、簡略化された方法で、ワイヤレス通信システム1300のセル1302（例えば、マクロ・セル1302A−1302G）が、対応するアクセス・ポイント1304（例えば、アクセス・ポイント1304A−1304G）によってどのようにサービスされることができるのかを例示している。ここで、マクロ・セル1302は、図2のマクロ・カバレッジ・エリア204に対応してもよい。図13に図示されているように、アクセス端末1306（例えば、アクセス端末1306A−1306L）は、ある期間にわたって、システム全体にわたって様々な位置に分配されてもよい。各アクセス端末1306は、例えば、アクセス端末1306がアクティブであるかどうか、およびソフト・ハンドオーバー状態にあるかどうかに依拠して、所与の時間において順方向リンク（FL）および／または逆方向リンク（RL）上で１つまたは複数のアクセス・ポイント1304と通信することができる。このセルラー・スキームの使用によって、ワイヤレス通信システム1300は、広い地理的領域にわたってサービスを提供することができる。例えば、マクロ・セル1302A−1302Gの各々は、近隣内のほんの少しのブロックまたは田舎の環境内の数平方マイルをカバーすることができる。
【０１２２】
図14は、１つまたは複数のフェムト・ノードがネットワーク環境（例えば、システム1300）内にどのように展開されることができるかの一例を例示している。図14のシステム1400において、複数のフェムト・ノード1410（例えば、フェムト・ノード1410Aおよび1410B）は、比較的小規模エリア・カバレッジ・ネットワーク環境内（例えば、１つまたは複数のユーザ住宅1430内）で導入されてもよい。各フェムト・ノード1410は、DSLルーター、ケーブル・モデム、ワイヤレス・リンク、または他の連結性手段（表示されていない）を介して広いエリア・ネットワーク1440（例えば、インターネット）およびモバイル・オペレーター・コアネットワーク1450（例えば、本件明細書で議論されたようなネットワーク・ノードを具備する）に結合されてもよい。
【０１２３】
フェムト・ノード1410の所有者は、例えば、モバイル・オペレーター・コアネットワーク1450によって提供される3Gモバイル・サービスのようなモバイル・サービスに申し込むことができる。加えて、アクセス端末1420は、マクロ環境および比較的小規模のエリア・カバレッジ（例えば、住宅）ネットワーク環境の両方において作動することができる。言い換えると、アクセス端末1420の現在の位置に依拠して、アクセス端末1420は、モバイル・オペレーター・コアネットワーク1450と関連するマクロ・セル・アクセス・ポイント1460によって、または１セットのフェムト・ノード1410のうちのいずれか１つ（例えば、対応するユーザ住宅1430内に住むフェムト・ノード1410Aおよび1410B）によってサービスされてもよい。例えば、加入者が彼の家の外にいるとき、加入者は、標準マクロ・アクセス・ポイント（例えば、アクセス・ポイント1460）によってサービスされてもよく、および加入者が彼の家の近くまたは家の中にいるとき、加入者は、フェムト・ノード（例えば、ノード1410A）によってサービスされてもよい。ここで、フェムト・ノード1410は、従来のアクセス端末と後退的に互換的であってもよい。
【０１２４】
フェムト・ノード1410は、単一の周波数または代替的に複数の周波数の上で展開されてもよい。特定の構成に依拠して、単一の周波数または複数の周波数のうちの１つまたは複数は、マクロ・アクセス・ポイント（例えば、アクセス・ポイント1460）によって使用される１つまたは複数の周波数とオーバーラップしうる。
【０１２５】
ある態様において、アクセス端末1420は、好ましいフェムト・ノード（例えば、アクセス端末1420のホーム・フェムト・ノード）に接続することが可能なときはいつでもそのような接続を行うように構成されていてもよい。例えば、アクセス端末1420Aがユーザの住宅1430内にあるときは常に、アクセス端末1420Aがホーム・フェムト・ノード1410Aまたは1410Bのみと通信することが望まれてもよい。
【０１２６】
ある態様において、アクセス端末1420がマクロ・セルラー・ネットワーク1450内で作動するが自身の最も好ましいネットワーク（例えば、好ましいローミング・リストにおいて定義されるようなネットワーク）に存在していない場合、アクセス端末1420は、BSR（Better System Reselection）を使用して最も好ましいネットワーク（例えば、好ましいフェムト・ノード1410）についての検索を継続してもよい。BSRは、より良いシステムが現在利用可能であるかどうかを決定するために利用可能なシステムの周期的スキャニング、およびそのような好ましいシステムに関連するためのそれに続く取り組みを伴うものであってもよい。獲得入力により、アクセス端末1420は、特定の帯域およびチャネルについての検索を制限してもよい。例えば、最も好ましいシステムについての検索は、周期的に繰り返されてもよい。望ましいフェムト・ノード1410の発見に基づいて、アクセス端末1420は、フェムト・ノード1410のカバレッジ・エリア内に滞在するためにフェムト・ノード1410を選択する。
【０１２７】
フェムト・ノードは、ある態様に限られてもよい。例えば、所与のフェムト・ノードは、あるアクセス端末にあるサービスのみを提供することができる。いわゆる限られた（または閉ざされた）関連性を備えている展開の場合、所与のアクセス端末は、マクロ・セル・モバイル・ネットワークおよび定義された１組のフェムト・ノード（例えば、対応するユーザ住宅1430内にあるフェムト・ノード1410）のみによってサービスされることができる。ある実装において、少なくとも１つのノードについて、ノードは、シグナリング、データ・アクセス、登録、ページング、またはサービスのうちの少なくとも１つを提供しないように制限されうる。
【０１２８】
ある態様において、制限されたフェムト・ノード（閉ざされた加入者グループの家のノードBと呼ばれてもよい）は、制限された備えられた1セットのアクセス端末にサービスを提供するものである。このセットは、一時的にまたは永遠に、必要なだけ拡張されてもよい。ある態様において、閉ざされた加入者グループ（CSG）は、アクセス端末の共通のアクセス制御リストを共有する1セットのアクセス・ポイント（例えば、フェムト・ノード）として定義されてもよい。領域内のすべてのフェムト・ノード（またはすべての制限されたフェムト・ノード）が作動するところのチャネルは、フェムト・チャネルと呼ばれてもよい。
【０１２９】
したがって、所与のフェムト・ノードと所与のアクセス端末との間に様々な関係が存在してもよい。例えば、アクセス端末から見て、開いているフェムト・ノードとは、制限された関連性のない（例えば、フェムト・ノードが任意のアクセス端末へのアクセスを許可する）フェムト・ノードのことをいうことができる。制限されたフェムト・ノードとは、ある方法で制限される（例えば、関連性および／または登録について制限される）フェムト・ノードのことをいうことができる。ホーム・フェムト・ノードとは、アクセス端末がアクセスおよび作動することを許可されるところのフェムト・ノード（例えば、1つまたは複数のアクセス端末の定義されたセットについてアクセスが永久的に提供される）のことをいうことができる。ゲスト・フェムト・ノードとは、アクセス端末がアクセスまたは作動することを一時的に許可されるところのフェムト・ノードのことをいうことができる。他のフェムト・ノードとは、緊急事態かもしれないとき（例えば、911コール）を除いて、アクセス端末がアクセスまたは作動することを許可されていないところのフェムト・ノードとのことをいうことができる。
【０１３０】
制限されたフェムト・ノードから見て、ホーム・アクセス端末とは、制限されたフェムト・ノードにアクセスすることを許可されるアクセス端末（例えば、アクセス端末は、フェムト・ノードへの永久的アクセスを有している）のことをいうことができる。ゲスト・アクセス端末とは、制限されたフェムト・ノード（デッドライン、使用時間、バイト、接続回数、またはいくつかの他の判定基準またはある判定基準に基づいて制限される）への一時的なアクセスを備えるアクセス端末のことをいうことができる。他のアクセス端末とは、例えば、911コールのような緊急事態かもしれないときを除いて、制限されたフェムト・ノードにアクセスするための許可を有していないアクセス端末のことをいうことができる（例えば、制限されたフェムト・ノードに登録するための身分証明または許可を有していないアクセス端末）。
【０１３１】
便宣上、本件明細書における開示は、フェムト・ノードの文脈における様々な機能性を説明している。しかしながら、ピコノードまたは中継ノードは、異なる（例えば、より大きい）カバレッジ・エリアに対して同じまたは同様の機能性を提供することができることが認識されるべきである。例えば、ピコノードまたは中継ノードは、制限されていてもよく、ホーム・ピコノードまたはホーム中継ノードは、所与のアクセス端末について定義されていてもよい等。
【０１３２】
図15を参照して、本件明細書において教示されたようなフェムト・ノードへのハンドオーバーをサポートするための2つのスキームの事例が説明される。第1のスキームにおいて、モバイル交換センター（MSC）への存在するインターフェースは、トリガーイベントを起動されるターゲットと通信するためにフェムト・ノード1502を利用可能にするために使用されることができる追加のメッセージをサポートするように構成されていてもよい。例えば、ライン1504、1506、および1508によって示されるインターフェースは、ソースMSC1514内のターゲットMSC1512を介してフェムト・ノード1502とマクロ・ネットワーク1510との間の通信をサポートするように構成されていてもよい。ここで、従来のインターフェースは、アクセス端末1516およびパケット・データ・サービング・ノード1518に採用されてもよい。
【０１３３】
第2のスキームにおいて、他のライン1520、1522、および1524によって示されるようなインターフェースは、フェムト・ノード1502からマクロ・ネットワーク1510へのハンドオーバー起動およびトリガ条件を通信するために提供されてもよい。ここで、フェムト・ハンドオーバー・コンセントレーター1526は、（例えば、パケット・データ・インターワーキング機能1528を介して）フェムト・ノード1502からハンドオーバー起動を受信するため、およびアクセス端末1516のためのアクティブ・コールを現在サポートしているマクロ・ネットワーク1510を識別するために採用されてもよい。フェムト・ハンドオーバー・コンセントレーター1526は、ハンドオーバー手順の起動を始めるようにマクロ・ネットワーク1510に命令してもよい。マクロ・ネットワーク1510は、次に、ハンドオーバー・トリガーのためにフェムト・ハンドオーバー・コンセントレーター1526にクエリーし、トリガ条件が満たされるかを検証し、また、どのフェムト・ノードがハンドオーバーのためのターゲットであるかに関する情報を調整してもよい。
【０１３４】
本件明細書における教示は、様々なタイプの通信デバイスにおいて実装されてもよい。ある態様において、本件明細書における教示は、複数のワイヤレス・アクセス端末のための通信を同時にサポートすることができる多元接続通信システムにおいて展開されることができるワイヤレス・デバイスにおいて実装されてもよい。ここで、各端末は、順方向リンクおよび逆方向リンク上の送信を介して1つまたは複数のアクセス・ポイントと通信することができる。順方向リンク（ダウンリンクとしても知られている）とは、アクセス・ポイントから端末への通信リンクトを言い、逆方向リンク（アップリンクとしても知られている）とは、端末からアクセス・ポイントへの通信リンクを言う。この通信リンクは、単一入力単一出力システム、多入力多出力（MIMO）システム、またはいくつかの他のタイプのシステムを介して確立されてもよい。
【０１３５】
例示のために、図16は、MIMOベースのシステム800の文脈において、ワイヤレス・デバイスにおいて採用されることができる通信コンポーネントの事例を説明している。システム1600は、データ送信のために複数の(NT個の)送信アンテナおよび複数の(NR個の)受信アンテナを採用する。NT個の送信アンテナおよびNR個の受信アンテナによって形成されるMIMOチャネルは、空間チャネルとも呼ばれてもよいNS個の独立チャネルに分解されてもよい。なお、NS ≦ 最小{NT, NR}である。NS個の独立チャネルの各々は、次元に対応する。複数の送信アンテナおよび受信アンテナによって作り出される追加の次元が利用される場合、MIMOシステムは、向上したパフォーマンス（例えば、より高い処理能力および／またはより大きな信頼性）を提供することができる。
【０１３６】
システム1600は、時分割二重（TDD）および周波数分割二重（FDD）をサポートすることができる。TDDシステムにおいて、順方向リンクおよび逆方向リンク送信は、同じ周波数領域上であるので、相互関係の原則は、逆方向リンク・チャネルから順方向リンク・チャネルの推定を可能にする。これは、複数のアンテナがアクセス・ポイントにおいて利用可能であるとき、アクセス・ポイントが順方向リンク上で送信ビーム・フォーミング利得を抽出することを可能にする。
【０１３７】
システム1600は、ワイヤレス・デバイス1610（例えば、アクセス・ポイント）およびワイヤレス・デバイス1650（例えば、アクセス端末）を含む。デバイス1610において、いくつかのデータ・ストリームのためのトラヒック・データは、データ・ソース1612から送信（TX）データ・プロセッサー1614へ提供される。
【０１３８】
ある態様において、各データ・ストリームは、それぞれの送信アンテナ上で送信される。TXデータ・プロセッサー1614は、各データ・ストリームのためのトラヒック・データを、符号化されたデータを提供するためにそのデータ・ストリームのために選択された特定の符号化スキームに基づいて、フォーマット、符号化、およびインターリーブする。
【０１３９】
各データ・ストリームのための符号化データは、OFDM技術を使用してパイロット・データで多重化されてもよい。パイロット・データは、典型的に、既知の方法で処理される既知のデータ・パターンであり、かつ、チャネル応答を推定するために受信機システムにおいて使用されてもよい。各データ・ストリームのために多重化されたパイロットおよび符号化されたデータは、次に、変調シンボルを提供するために、そのデータ・ストリームのために選択された特定の変調スキーム（例えば、BPSK、QSPK、M-PSK、またはM-QAM）に基づいて変調される（つまり、シンボルマップされる）。各データ・ストリームのためのデータ・レート、符号化、および変調は、プロセッサー1630によって実行される命令によって決定されてもよい。データ・メモリー1632は、プロセッサー1630またはデバイス1610の他のコンポーネントによって使用されるプログラム・コード、データ、および他の情報を記憶してもよい。
【０１４０】
すべてのデータ・ストリームのための変調シンボルは、次に、TX MIMOプロセッサー1620へ提供される。TX MIMOプロセッサー1620は、（例えば、OFDMのための）変調シンボルをさらに処理することができる。TX MIMOプロセッサー1620は、次に、1622TによってNT個の送受信機（XCVR）1622AへNT個の変調シンボルを提供する。ある態様において、TX MIMOプロセッサー1620は、データ・ストリームのシンボルおよびシンボルが送信されているところのアンテナにビーム・フォーミング重みを適用する。
【０１４１】
各送受信機1622は、1つまたは複数のアナログ信号を提供するためにそれぞれのシンボル・ストリームを受信および処理し、MIMOチャネル上での送信に適している変調信号を提供するためにアナログ信号をさらに調整する（例えば、増幅、フィルター、およびアップコンバートする）。送受信機1622Aないし1622TからのNT個の変調信号は、次に、NT個のアンテナ1624Aないし1624Tにそれぞれ送信される。
【０１４２】
デバイス1650において、送信された変調信号は、NR個のアンテナ1652Aないし1652Rによって受信され、および各アンテナ1652からの受信信号は、それぞれの送受信機（XCVR）1654Aないし1654Rへ提供される。各送受信機1654は、それぞれの受信信号を調整（例えば、フィルター、増幅、およびダウンコンバート）し、サンプルを提供するために前記調整された信号をデジタル化し、対応する「受信された」シンボル・ストリームを提供するために前記サンプルをさらに処理する。
【０１４３】
受信（RX）データ・プロセッサー1660は、次に、NT個の「検出された」シンボル・ストリームを提供するために、特定の受信機処理技術に基づいてNR個の送受信機1654からNR個の受信シンボル・ストリームを受信および処理する。RXデータ・プロセッサー1660は、次に、データ・ストリームのためのトラヒック・データを回復するために各検出されたシンボル・ストリームを復調、逆インターリーブ、および復号する。RXデータ・プロセッサー1660による処理は、デバイス1610におけるTX MIMOプロセッサー1620およびTXデータ・プロセッサー1614によって行なわれることと相補的である。
【０１４４】
プロセッサー1670は、どのプリコーディング・マトリックスを使用するかを周期的に決定する（以下で議論される）。プロセッサー1670は、マトリックス・インデックス部分およびランク値部分を具備する逆方向リンク・メッセージを公式化する。データ・メモリー1672は、プロセッサー1670またはデバイス1650の他のコンポーネントによって使用されるプログラム・コード、データ、および他の情報を記憶してもよい。
【０１４５】
逆方向リンク・メッセージは、通信リンクおよび／または受信データ・ストリームに関する様々なタイプの情報を具備してもよい。逆方向リンク・メッセージは、次に、データ・ソース1636からいくつかのデータ・ストリームのためのトラヒック・データをも受信するTXデータ・プロセッサー1638によって処理され、変調器1680によって変調され、送受信機1654Aないし1654Rによって調整され、およびデバイス1610へ送信し戻される。
【０１４６】
デバイス1610において、デバイス1650からの変調信号は、デバイス1650によって送信される逆方向リンク・メッセージを抽出するためにアンテナ1624によって受信され、送受信機1622によって調整され、復調器（DEMOD）1640によって変調され、およびRXデータ・プロセッサー1642によって処理される。プロセッサー1630は、次に、ビーム・フォーミング重みを決定するためにどの事前符号化マトリックスを使用するかを決定し、その後抽出したメッセージを処理する。
【０１４７】
図16はまた、通信コンポーネントが、本件明細書において教示されたようなハンドオーバー制御オペレーションを行なう1つまたは複数のコンポーネントを含むことができることを例示している。例えば、ハンドオーバー制御構成要素1690は、本件明細書において教示されたように他のデバイス（例えば、デバイス1650）へ／から信号を送信／受信するためにプロセッサー1630および／またはデバイス1610の他のコンポーネントと協同してもよい。同様に、ハンドオーバー制御コンポーネント1692は、他のデバイス（例えば、デバイス1610）へ／から信号を送信／受信するためにプロセッサー1670および／またはデバイス1650の他のコンポーネントと協同してもよい。各デバイス1610および1650について、説明されたコンポーネントの２つまたはそれ以上の機能性が単一のコンポーネントによって提供されてもよいことが認識されるべきである。例えば、単一の処理コンポーネントは、ハンドオーバー制御コンポーネント1690およびプロセッサー1630の機能性を提供してもよい、および単一の処理コンポーネントは、ハンドオーバー制御コンポーネント1692およびプロセッサー1670の機能性を提供してもよい。
【０１４８】
本件明細書における教示は、様々なタイプの通信システムおよび／またはシステム・コンポーネントに組み込まれてもよい。ある態様において、本件明細書における教示は、（例えば、1つまたは複数の帯域幅、送信電力、符号化、インターリービングなどを識別することによって）利用可能なシステム資源を共有することによって複数のユーザとの通信をサポートすることができる多元接続システムにおいて採用されてもよい。例えば、本件明細書における教示は、次に挙げる技術のいずれかまたは任意の組み合わせに適用されてもよい。それらの技術は、符号分割多元接続（CDMA）システム、多重搬送波CDMA（MCCDMA）、広帯域CDMA（W-CDMA）、高速パケット接続（HSPA、HSPA＋）システム、時分割多元接続（TDMA）システム、周波数分割多元接続（FDMA）システム、単一搬送波FDMA（SC-FDMA）システム、直交周波数分割多元接続（OFDMA）システム、または他の多元接続技術である。本件明細書における教示を採用するワイヤレス通信システムは、IS-95、cdma200、IS-856、W-CDMA、TDSCDMA、および他の規格のような1つまたは複数の規格を実装するよう設計されてもよい。CDMAネットワークは、汎用の地球上無線接続（UTRA）、cdma2000、またはいくつかの他の技術を実装してもよい。UTRAは、W-CDMAおよび低いチップ・レート（LCR）を含む。cdma2000技術は、IS-2000、IS-95およびIS-856規格をカバーする。TDMAネットワークは、モバイル通信のための全地球システム（GSM）のような無線技術を実装してもよい。OFDMAネットワークは、発展したUTRA（E-UTRA）、IEEE802.11、IEEE802.16、IEEE802.20、Flash-OFDM（登録商標）などのような無線技術を実装してもよい。UTRA、E-UTRA、およびGSMは、汎用のモバイル電気通信システム（UMTS）の一部である。本件明細書における教示は、3GPP長期的進化（LTE）システム、超モバイル・ブロードバンド（UMB）システム、および他のタイプのシステムにおいて実装されてもよい。LTEは、E-UTRAを使用するUMTSのリリースである。本件開示のある態様は、3GPPの専門用語を使用して説明されているかもしれないが、本件明細書における教示は、3GPP（Re199、Re15、Re16、Re17）技術のみならず、3GPP2（IxRTT、1xEV-DO RelO、RevA、RevB）技術および他の技術へ適用されてもよいことが理解される。
【０１４９】
本件明細書における教示は、様々な装置（例えば、ノード）に組み込まれてもよい（例えば、様々な装置内で実装される、または様々な装置によって実装される）。いくつかの態様において、本件明細書における教示にしたがって実装されるノード（例えば、ワイヤレス・ノード）は、アクセス・ポイントまたはアクセス端末を具備してもよい。
【０１５０】
例えば、アクセス端末は、ユーザ設備、加入者局、加入者ユニット、モバイル局、モバイル、モバイル・ノード、遠隔局、遠隔端末、ユーザ端末、ユーザ代理、ユーザデバイス、またはいくつかの他の用語を具備する、それらとして実装される、またはそれらとして知られていてもよい。ある実装において、アクセス端末は、セルラー電話居、コードレス電話、セッション・イニシエイション・プロトコル（PDA）、ワイヤレス接続能力を有するハンドヘルド・デバイス、またはワイヤレス・モデムに接続されたいくつかの他の適切な処理デバイスを具備してもよい。このように、本件明細書において教示された1つまたは複数の態様は、電話（例えば、セルラー電話またはスマート電話）、コンピュータ（例えば、ラップトップ）、ポータブル通信デバイス、ポータブル計算デバイス（例えば、携帯情報端末）、エンタテイメント・デバイス（例えば、ミュージック・デバイス、ビデオ・デバイス、または衛生無線）、全地球測位システムデバイス、またはワイヤレス媒体を介して通信するように構成されている他の適切なデバイスに組み込まれてもよい。
【０１５１】
アクセス・ポイントは、ノードB、eノードB、無線ネットワーク・コントローラー（RNC）、基地局（BS）、無線基地局（RBS）、基地局コントローラー（BSC）、基地送受信機局（BTS）、送受信機機能（TF）、無線送受信機、無線ルーター、基地サービス・セット（BSS）、拡張されたサービス・セット（ESS）、またはいくつかの他の同様の用語を具備してもよい、これらとして実装されてもよい、またはこれらとして知られていてもよい。
【０１５２】
ある態様において、ノード（例えば、アクセス・ポイント）は、通信システムのためのアクセス・ノードを具備してもよい。そのようなアクセス・ノードは、ネットワークへの有線またはワイヤレス通信リンクを介して、例えば、ネットワーク（例えば、インターネットまたはセルラー・ネットワークのようなワイドエリア・ネットワーク）に対するまたはネットワークへの接続性を提供してもよい。したがって、アクセス・ノードは、他のノード（例えば、アクセス端末）がネットワークに接続することまたはいくつかの他の機能に接続することを可能にしてもよい。加えて、1つまたは両方のノードが持ち運び可能であってもよく、または、あるケースにおいては、相対的に持ち運び不可能であってもよいことが認識されるべきである。
【０１５３】
また、ワイヤレス・ノードは、非ワイヤレスの方法において（例えば、有線接続を介して）情報を送信および／受信することができてもよい。したがって、本件明細書において説明されたような受信機および送信機は、非ワイヤレス媒体を介して通信するために適切な通信インターフェース・コンポーネント（例えば、電気的または光学的インターフェース・コンポーネント）を含んでいてもよい。
【０１５４】
ワイヤレス・ノードは、任意の適切なワイヤレス通信技術に基づくまたはそうでない場合はサポートする1つまたは複数のワイヤレス通信リンクを介して通信することができる。例えば、いくつかの態様において、ワイヤレス・ノードは、ネットワークと関連してもよい。ある態様において、ネットワークは、ローカルエリア・ネットワークまたはワイドエリア・ネットワークを具備してもよい。ワイヤレス・デバイスは、1つまたは複数の様々なワイヤレス通信技術、プロトコル、または本件明細書において開示されたような規格（例えば、CDMA、TDMA、OFDM、OFDMA、WiMAX、Wi-Fi、など）をサポートまたはそうでなければ使用してもよい。同様に、ワイヤレス・ノードは、1つまたは複数の様々な対応する変調または多重化スキームをサポートまたはそうでなければ使用してもよい。ワイヤレス・ノードは、したがって、上記のまたは他のワイヤレス通信技術を使用して1つまたは複数のワイヤレス通信リンクを介して確立および通信するための適切なコンポーネント（例えば、空間インターフェース）を含んでもよい。例えば、ワイヤレス・ノードは、ワイヤレス媒体上の通信を容易にする様々なコンポーネント（例えば、信号生成器および信号プロセッサー）を含んでいてもよい関連する送信機および受信機コンポーネントを備えるワイヤレス送受信機を具備してもよい。
【０１５５】
本件明細書において説明されたコンポーネントは、様々な方法において実装されてもよい。図17-20を参照して、装置1700、1800、1900、および2000は、相互に関係した機能性ブロックのシリーズとして表わされている。ある態様において、これらのブロックの機能性は、1つまたは複数のプロセッサー・コンポーネントを含む処理システムとして実装されることができる。ある態様において、これらのブロックの機能性は、例えば、1つまたは複数の集積回路（例えば、ASIC）の少なくとも一部を使用して実装されてもよい。本件明細書において説明されたように、集積回路は、プロセッサー、ソフトウェア、他の関連したコンポーネント、またはそれらのいくつかの組み合わせを含んでもよい。これらのブロックの機能性はまた、本件明細書において教示されたようないくつかの他の方法において実装されてもよい。ある態様において、図17-20における1つまたは複数の点線のブロックは、選択的である。
【０１５６】
装置1700、1800、1900、および2000は、様々な図面に関連して上記で説明された1つまたは複数の機能性を行なうことができる1つまたは複数のモジュールを含んでもよい。例えば、モニタリング手段1702は、例えば、本件明細書において議論されたようなモニターに対応してもよい。ハンドオーバー・メッセージ送信手段1704は、例えば、本件明細書において説明されたようなハンドオーバー・コントローラーに対応してもよい。受信手段1706は、例えば、本件明細書において議論されたような受信機に対応してもよい。検出手段1708は、例えば、本件明細書において議論されたような受信機に対応してもよい。近傍決定手段1710は、例えば、本件明細書において議論されたような近接性決定装置に対応してもよい。受信手段1802は、例えば、本件明細書において議論されたような受信機に対応してもよい。ハンドオーバー手段1804は、例えば、本件明細書において議論されたようなハンドオーバー・コントローラーに対応してもよい。候補周波数検索手段1806は、例えば、本件明細書において議論されたような候補周波数検索コントローラーに対応してもよい。近傍決定手段1808は、例えば、本件明細書において議論されたような近接性決定装置に対応してもよい。活動決定手段1810は、例えば、本件明細書において議論されたような通信コントローラーに対応してもよい。送信手段1812は、例えば、本件明細書において議論されたような送信機に対応してもよい。資源決定手段1814は、例えば、本件明細書において議論されたような通信コントローラーに対応してもよい。識別手段1902は、例えば、本件明細書において議論されたようなハンドオーバー・コントローラーに対応してもよい。検索要求送信手段1904は、例えば、本件明細書において議論されたような候補周波数検索コントローラーに対応してもよい。受信手段1906は、例えば、本件明細書において議論されたような受信機に対応してもよい。ハンドオーバー命令送信手段1908は、例えば、本件明細書において議論されたようなハンドオーバー・コントローラーに対応してもよい。閾値受信手段2002は、例えば、本件明細書において議論されたような受信機に対応してもよい。信号受信手段2004は、例えば、本件明細書において議論されたような受信機に
対応してもよい。報告送信手段2006は、例えば、本件明細書において議論されたような送信機に対応してもよい。
【０１５７】
「第1」、「第２」、そのつづきのような指定を使用する本件明細書におけるエレメントへのいずれの言及は、一般に、それらのエレメントの量または順番に制限されないことが理解されるべきである。
【０１５８】
どちらかと言うと、これらの指定は、本件明細書において、２つまたはそれ以上のエレメントまたはそれらのエレメントの事例間を区別する便宣上の方法として使用されてもよい。したがって、第１および第２のエレメントへの言及は、そこで２つのエレメントのみが採用される、または何らかの方法で第1のエレメントが第2のエレメントに先行することを意味するものではない。また、特にことわらないかぎり、1セットのエレメントは、1つまたは複数のエレメントを具備してもよい。加えて、詳細な説明または特許請求の範囲において使用される「A、B、またはCのうちの少なくとも1つ」という形式の文言は、「AまたはBまたはCまたはこれらのエレメントの任意の組み合わせ」を意味する。
【０１５９】
当業者は、情報および信号は様々な異なる技術および技法のどれかを使用して表わされることができることを理解するだろう。例えば、上記の説明の全体にわたって参照されてもよい、データ、命令、コマンド、情報、信号、ビット、シンボル、およびチップは、電圧、電流、電磁波、磁界または粒子、光界または粒子、またはそれらの任意の組み合わせによって表わされてもよい。
【０１６０】
当業者は、本件明細書において開示された態様に関連して説明された様々な例示的論理ブロック、モジュール、プロセッサー、手段、回路、およびアルゴリズム・ステップのいずれも、電子のハードウェア（例えば、ソース符号化またはいくつかの他の技術を使用して設計されるデジタル実装、アナログ実装、またはこれら2つの組み合わせ）、命令を組み込んでいる様々な形式のプログラムまたは設計コード（本件明細書において、便宣のために、「ソフトウェア」または「ソフトウェア・モジュール」と呼ばれてもよい）またはその両方の組み合わせとして実装されてもよいことをさらに認識するだろう。ハードウェアおよびソフトウェアのこの互換性を明確に例示するために、様々な例示的コンポーネント、ブロック、モジュール、回路、およびステップは、一般にそれらの機能性の観点から上で説明されてきた。そのような機能性がハードウェアとしてまたはソフトウェアとして実装されるかどうかは、特定のアプリケーションおよびシステム全体に課せられた設計上の制約に依存する。当業者は、各特定のアプリケーションについて説明された機能性を様々な方法で実装することができるが、そのような実装の決定は、本件開示の範囲から逸脱していると解釈されるべきではない。
【０１６１】
本件明細書において開示された態様と関係して説明される様々な例示的論理ブロック、モジュール、および回路は、集積回路（IC）、アクセス端末、またはアクセス・ポイントの内で実装されてもよく、またはそれによって行なわれてもよい。ICは、一般目的のプロセッサー、デジタル信号プロセッサー（DSP）、特定用途集積回路（ASIC）、フィールド・プログラマブル・ゲート・アレイ（FPGA）または他のプログラマブル論理デバイス、離散ゲートまたはトランジスタ論理、離散ハードウェア・コンポーネント、電子コンポーネント、光コンポーネント、機械コンポーネント、または本件明細書において説明された機能を行なうように設計されるそれらの任意の組み合わせを具備してもよく、およびICの内部、ICの外部、またはその両方にあるコードまたは命令を実行することができる。一般目的のプロセッサーは、マイクロプロセッサーであってもよいが、代替的に、当該プロセッサーは、任意の従来のプロセッサー、コントローラー、マイクロコントローラー、または状態機械であってもよい。プロセッサーはまた、計算デバイスの組み合わせ、例えば、DSPとマイクロプロセッサーの組み合わせ、複数のマイクロプロセッサー、DSPコアと併用する1つまたは複数のマイクロプロセッサー、または任意の他のそのような構成として実装されてもよい。
【０１６２】
すべての開示されたプロセスにおけるステップのいかなる特定の順番または階層は、アプローチの事例の一例であることが理解される。設計上の選好に基づいて、プロセスにおけるステップの固有の順番または階層は、本件開示の範囲内にとどまる限り、並び替えられてもよい。添付の方法クレームは、順番の事例における様々なステップのエレメントを表わし、および表わされた固有の順番または階層に限られることを意味するものではない。
【０１６３】
説明された機能は、ハードウェア、ソフトウェア、ファームウェア、またはそれらの任意の組み合わせにおいて実装されてもよい。ソフトウェアで実装される場合、機能は、コンピュータ可読媒体上の1つまたは複数の命令またはコード上に記憶されるまたは1つまたは複数の命令またはコード上で送信されてもよい。コンピュータ可読媒体は、ある場所から他の場所へのコンピュータ・プログラムの転送を容易にする任意の媒体を含むコンピュータ記憶媒体と通信媒体の両方を含む。記憶媒体は、コンピュータによってアクセスされることができる任意の利用可能な媒体であってもよい。例として、次のことには制限されないが、そのようなコンピュータ可読媒体は、RAM、ROM、EEPROM、CD-ROMまたは他の光ディスク記憶装置、磁気ディスク記憶装置または他の磁気記憶デバイス、またはコンピュータによってアクセスされることができる命令またはデータ構造の形式で所望のプログラム・コードを搬送または記憶するために使用されることができる任意の他の媒体を具備してもよい。また、いずれの接続も、コンピュータ可読媒体と適切に呼ばれる。例えば、ソフトウェアが、ウェブサイト、サーバー、または同軸ケーブル、光ファイバ・ケーブル、ツイストペア、デジタル加入者ライン（DSL）、または赤外線、無線、およびマイクロ波のような無線技術を使用する他の遠隔ソースである場合、同軸ケーブル、光ファイバ・ケーブル、ツイストペア、DSL、または赤外線、無線、およびマイクロ波のようなワイヤレス技術は、媒体の定義に含まれる。本件明細書において使用されるようなディスク（diskおよびdisc）は、コンパクト・ディスク（CD）、レーザディスク、光ディスク、デジタル汎用ディスク（DVD）、フレキシブル・ディスクおよびブルーレイディスクを含む。なお、ディスク（disc）がレーザにより光学的にデータを再生するのに対し、ディスク（disk）は、通常磁気的にデータを再生する。上記の組み合わせも、コンピュータ可読媒体の範囲内に含まれるべきである。要するに、コンピュータ可読媒体は、任意の適切なコンピュータ・プログラム・プロダクトで実装されてもよいことが認識されるべきである。
【０１６４】
上記を考慮して、いくつかの態様において、通信の第1の方法は、次のことを具備する。第1のノードにおいて、第2のノードを検出するために少なくとも１つの資源をモニタリングすることと、前記第2のノードの前記検出に応答して前記第2のノードを前記第1のノードにリダイレクトせよというメッセージを送ること。加えて、ある態様において、次のうちの少なくとも1つもまた、通信の前記第1の方法に適用されてもよい。前記少なくとも1つの資源は、少なくとも1つのチャネルおよび／または少なくとも1つのスクランブリング・コードを具備する；前記少なくとも1つの資源は、周波数帯域を具備し、および前記モニタリングをすることは、前記第2のノードによって送信される信号を検出するために前記周波数帯域にチューニングをすることを具備する；前記方法は、前記少なくとも1つの資源が前記第2のノードに割り当てられることを示すメッセージを受信することをさらに具備する；前記方法は、前記第2のノードが現在アクティブであるという表示を受信することをさらに具備する、ここにおいて、前記モニタリングをすることは、前記表示の前記受信の結果として開始される；前記方法は、前記第2のノードが前記第1のノードの近傍にあるという表示を受信することをさらに具備する、ここにおいて、前記モニタリングをすることは、前記表示の前記受信の結果として開始される；前記モニタリングをすることは、次のことをさらに具備する：前記第2のノードによって送信されるパイロット強度測定メッセージを検出することおよび／または前記第2のノードによって送信される候補周波数報告を検出すること、前記検出されたパイロット強度測定メッセージおよび／または前記検出された候補周波数報告に基づいて、前記第2のノードが前記第1のノードの近傍にあるかどうかを決定すること、および前記近傍決定に基づいて前記メッセージを送るかどうかを決定すること；前記第1のノードは、フェムト・ノードを具備し、前記第2のノードは、アクセス端末を具備し、および前記メッセージは、マクロ・アクセス・ポイントからフェムト・ノードへの前記アクセス端末のハンドオーバーを開始せよとの要求を具備する。
【０１６５】
ある態様において、通信の第2の方法は、次のことを具備する。第1のアクセス・ポイントにおいてアクセス端末からの信号を受信することと、前記信号の前記受信の結果として、第2のアクセス・ポイントにおいてハンドオーバー・オペレーションをトリガせよとのメッセージを送ること。加えて、ある態様において、次のうちの少なくとも1つもまた、通信の前記第2の方法に適用されてもよい。前記メッセージは、前記アクセス端末において候補周波数検索を起動せよとの要求を具備する；前記方法は、前記アクセス端末によって送信されるパイロット強度測定メッセージを検出することおよび／または前記アクセス端末によって送信される候補周波数報告を検出すること、前記検出されたパイロット強度測定メッセージおよび／または前記検出された候補周波数報告に基づいて、前記アクセス端末が前記第1のアクセス・ポイントの近傍にあるかどうかを決定すること、および前記近傍決定に基づいて前記メッセージを送るかどうかを決定することをさらに具備する；前記メッセージは、前記第１のアクセス・ポイントが前記アクセス端末からの前記信号を受信したという表示、および前記第1のアクセス・ポイントの位置を示す少なくとも1つのメトリクスを具備する；前記グループの少なくとも１つに関係する前記少なくとも1つのメトリクスは、パイロット強度測定、往復遅れ、およびGPS座標から成るグループのうちの少なくとも１つに関係する；前記第1のアクセス・ポイントは、フェムト・ノードを具備し、および前記第2のアクセス・ポイントは、マクロ・アクセス・ポイントを具備する。
【０１６６】
ある態様において、通信の第３の方法は、次のことを具備する。第1のアクセス・ポイントにおいて、第2のアクセス・ポイントから、アクセス端末のためのハンドオーバー・オペレーションをトリガするメッセージを受信すること、および前記メッセージの前記受信の結果として前記第2のアクセス・ポイントに前記アクセス端末をハンドオーバーすること。加えて、ある態様において、次のうちの少なくとも1つもまた、通信の第３の方法に適用されてもよい。前記メッセージは、前記第2のアクセス・ポイントに前記アクセス端末をハンドオーバーせよとの要求を具備する；前記メッセージは、前記アクセス端末において候補周波数検索を起動せよとの要求を具備する、前記方法は、前記アクセス端末に前記候補周波数検索を行うための要求を送ること、前記要求に応答して候補周波数検索報告を受信すること、および前記第2のアクセス・ポイントへ前記アクセス端末をハンドオーバーするかどうかを、前記候補周波数検索報告に基づいて決定することをさらに具備する；前記メッセージは、前記第2のアクセス・ポイントが前記アクセス端末から信号を受信したという表示を具備する；前記メッセージは、前記第2のアクセス・ポイントの位置を示す少なくとも1つのメトリクスをさらに具備する；前記方法は、前記アクセス端末が前記第2のアクセス・ポイントの近傍にあるかどうかを、前記少なくとも1つのメトリクスに基づいて決定することをさらに具備する；前記方法は、前記アクセス端末をハンドオーバーするかどうかを、前記近傍決定に基づいて決定することをさらに具備する；前記アクセス端末が前記第2のアクセス・ポイントの近傍にあるかどうかの前記決定は、候補周波数検索を行うための要求を前記アクセス端末に送ること、前記要求に応答して候補周波数検索報告を受信すること、および前記少なくとも１つのメトリクスを、前記候補周波数検索報告からの情報と比較することを具備する；前記アクセス端末が前記第2のアクセス・ポイントの前記近傍にあるかどうかの前記決定は、前記アクセス端末と関連する少なくとも1つの往復遅れを決定すること、および前記少なくとも１つのメトリクスを、前記少なくとも1つの往復遅れと比較することを具備する；前記方法は、前記アクセス端末が前記第2のアクセス・ポイントの近傍にあるかどうかを決定すること、および前記近傍決定の表示を前記第2のアクセス・ポイントに送ることをさらに具備する；前記方法は、前記アクセス端末がアクティブかどうかを決定すること、および前記アクセス端末がアクティブであるという表示を前記第2のアクセス・ポイントに送ることをさらに具備する；前記方法は、前記アクセス端末に割り当てられる少なくとも1つの資源を決定すること、および前記少なくとも1つの資源の表示を前記第2のアクセス・ポイントに送ることをさらに具備する；前記少なくとも1つの資源は、少なくとも1つのチャネルおよび／または少なくとも1つのスクランブリング・コードを具備する；前記第1のアクセス・ポイントは、マクロ・アクセス・ポイントを具備する；および前記第2のアクセス・ポイントは、フェムト・ノードを具備する。
【０１６７】
ある態様において、通信の第４の方法は、次のことを具備する。ハンドオーバーされるべきアクセス端末を識別することと、候補周波数検索を実行せよとの要求を前記アクセス端末に送ることと、前記要求に対する応答を受信することと、ここにおいて、前記応答は、同一の識別子を使用する複数のアクセス・ポイントを識別する、および前記識別されたアクセス・ポイントの各々にハンドオーバー命令を送ること。加えて、ある態様において、次のうちの少なくとも1つもまた、通信の第４の方法に適用されてもよい。前記アクセス端末の前記識別は、前記アクセス端末が、前記識別子を使用するアクセス端末の近傍にあるかどうかを決定することを具備する；前記識別されたアクセス・ポイントの各々へのハンドオーバー命令の前記送信は、前記識別されたアクセス・ポイントにチャネル割り当てパラメーターの同一のセットを送ることを具備する；前記識別子は、PNシーケンスを具備する；前記アクセス・ポイントは、フェムト・ノードを具備する。
【０１６８】
ある態様において、第5の通信の方法は、次のことを具備する。第1のアクセス・ポイントから閾値を受信することと、ここにおいて、前記閾値は、少なくとも1つのアクセス・ポイントの定義されたセットと関連させられる、第2のアクセス・ポイントから信号を受信することと、ここにおいて、前記第2のアクセス・ポイントは、いくつかのセットである、前記受信した信号の信号レベルが閾値よりも大きいかまたは等しい場合、前記受信した信号を示す報告を前記第1のアクセス・ポイントに送ること。加えて、ある態様において、次のうちの少なくとも1つもまた、第5の通信の方法に適用されてもよい。前記閾値は、前記第2のアクセス・ポイントに固有である；前記セットは、フェムト・ノードに制限される；前記信号は、パイロット信号を具備する；前記第1のアクセス・ポイントは、マクロ・アクセス・ポイントを具備する；および前記第2のアクセス・ポイントは、フェムト・ノードを具備する。
【０１６９】
ある態様において、第1、第２、第３、第４、および第5の通信の方法に関係する1つまたは複数の上記の態様に対応する機能性が、例えば、本件明細書において教示されたような構造を使用する装置において実装されてもよい。加えて、コンピュータ・プログラム・プロダクトが、第1、第2、第3、第4、および第5の通信の方法に関係する1つまたは複数の上記の態様に対応する機能性をコンピュータに提供させるように構成されているコードを具備してもよい。
【０１７０】
本件明細書において開示された態様の先の説明は、当該技術分野のいかなる技術者も本件開示を作るまたは使用することができるように提供される。それらの態様に対する様々な修正は、当業者にとって直ちに明白になるだろう。また、本件明細書において定義された一般原則は、本件開示の範囲から逸脱することなく他の態様に適用されてもよい。したがって、本件開示は、本件明細書において示された態様に制限されるよう意図されるのではなく、本件明細書において開示された原則および新規の特徴を含む最も広い範囲に一致するよう意図される。
以下に本件出願当初の特許請求の範囲に記載された発明を付記する。
［１］通信の方法であって、
第１のノードにおいて、第２のノードを検出するために少なくとも１つの資源をモニタリングすることと、および
前記第２のノードの前記検出に応答して、ハンドオーバー・オペレーションをトリガせよとのメッセージを前記第１のノードに送ることと
を具備する方法。
［２］前記少なくとも１つの資源は、少なくとも１つのチャネルおよび／または少なくとも１つのスクランブリング・コードを具備する、［１］に記載の方法。
［３］前記少なくとも１つの資源は、周波数帯域を具備し、および
前記モニタリングをすることは、前記第２のノードによって送信される信号を検出するために前記周波数帯域にチューニングすることを具備する、［１］に記載の方法。
［４］前記少なくとも１つの資源は、前記第２のノードに割り当てられることを示すメッセージを受信することをさらに具備する、［１］に記載の方法。
［５］前記第２のノードが現在アクティブであるという表示を受信することをさらに具備する、［１］に記載の方法であって、前記モニタリングをすることは、前記表示の前記受信の結果として開始される、［１］に記載の方法。
［６］前記第２のノードが前記第１のノードの近傍の内にあるという表示を受信することをさらに具備する、［１］に記載の方法であって、前記モニタリングをすることは、前記表示の前記受信の結果として開始される、［１］に記載の方法。
［７］前記第２のノードによって送信されるパイロット強度測定メッセージおよび／または前記第２のノードによって送信される候補周波数報告を検出することと、
前記検出したパイロット強度測定メッセージおよび／または前記検出した候補周波数報告に基づいて、前記第２のノードが前記第１のノードの近傍にあるかどうかを決定することと、および
前記近傍決定に基づいて、前記メッセージを送るかどうかを決定することと
をさらに具備する、［１］に記載の方法。
［８］前記メッセージは、前記第２のノードにおいて候補周波数検索を起動せよとの要求を具備する、［１］に記載の方法。
［９］前記メッセージは、
前記第１のノードが前記第２のノードから信号を受信したという表示と、および
前記第１のノードの位置を示す少なくとも１つのメトリクス
を具備する、［１］に記載の方法。
［１０］前記少なくとも１つのメトリクスは、パイロット強度測定、往復遅れ、およびGPS座標から成るグループのうちの少なくとも１つに関係する、［９］に記載の方法。
［１１］前記第１のノードは、フェムト・ノードを具備し、
前記第２のノードは、アクセス端末を具備し、および
前記メッセージは、マクロ・アクセス・ポイントから前記フェムト・ノードへの前記アクセス端末のハンドオーバーを開始せよとの要求を具備する、［１］に記載の方法。
［１２］通信のための装置であって、
第１のノードにおいて、第２のノードを検出するために少なくとも１つの資源をモニタリングするように構成されているモニターと、および
前記第２のノードの前記検出に応答して、ハンドオーバー・オペレーションをトリガするためのメッセージを前記第１のノードに送るように構成されているハンドオーバー・コントローラーと
を具備する装置。
［１３］前記少なくとも１つの資源は、少なくとも１つのチャネルおよび／または少なくとも１つのスクランブリング・コードを具備する、［１２］に記載の装置。
［１４］前記少なくとも１つの資源は、周波数帯域を具備し、および
前記モニタリングをすることは、前記第２のノードによって送信される信号を検出するために前記周波数帯域にチューニングすることを具備する、［１２］に記載の装置。
［１５］前記少なくとも１つの資源は、前記第２のノードに割り当てられることを示すメッセージを受信するように構成されている受信機をさらに具備する、［１２］に記載の装置。
［１６］前記第２のノードが現在アクティブであるという表示を受信するように構成されている受信機をさらに具備する、［１２］に記載の方法であって、前記モニタリングをすることは、前記表示の前記受信の結果として開始される、［１２］に記載の方法。
［１７］前記第２のノードが前記第１のノードの近傍の内にあるという表示を受信するように構成されている受信機をさらに具備する、［１２］に記載の方法であって、前記モニタリングをすることは、前記表示の前記受信の結果として開始される、［１２］に記載の方法。
［１８］前記第２のノードによって送信されるパイロット強度測定メッセージおよび／または前記第２のノードによって送信される候補周波数報告を検出するように構成されている受信機と、
前記検出したパイロット強度測定メッセージおよび／または前記検出した候補周波数報告に基づいて、前記第２のノードが前記第１のノードの近傍にあるかどうかを決定するように構成されている近接性決定装置とをさらに具備する、［１２］に記載の装置であって、
前記ハンドオーバー・コントローラーは、前記近傍決定に基づいて、前記メッセージを送るかどうかを決定するようにさらに構成されている、［１２］に記載の装置。
［１９］前記メッセージは、前記第２のノードにおいて候補周波数検索を起動せよとの要求を具備する、［１２］に記載の装置。
［２０］前記メッセージは、
前記第１のノードが前記第２のノードから信号を受信したという表示と、および
前記第１のノードの位置を示す少なくとも１つのメトリクス
を具備する、［１２］に記載の装置。
［２１］前記少なくとも１つのメトリクスは、パイロット強度測定、往復遅れ、およびGPS座標から成るグループのうちの少なくとも１つに関係する、［２０］に記載の装置。
［２２］通信のための装置であって、
第１のノードにおいて、第２のノードを検出するために少なくとも１つの資源をモニタリングする手段と、および
前記第２のノードの前記検出に応答して、ハンドオーバー・オペレーションをトリガするためのメッセージを前記第１のノードに送る手段と
を具備する装置。
［２３］前記少なくとも１つの資源は、少なくとも１つのチャネルおよび／または少なくとも１つのスクランブリング・コードを具備する、［２２］に記載の装置。
［２４］前記少なくとも１つの資源は、周波数帯域を具備し、および
前記モニタリングをすることは、前記第２のノードによって送信される信号を検出するために前記周波数帯域にチューニングすることを具備する、［２２］に記載の装置。
［２５］前記少なくとも１つの資源は、前記第２のノードに割り当てられることを示すメッセージを受信する手段をさらに具備する、［２２］に記載の方法。
［２６］前記第２のノードが現在アクティブであるという表示を受信する手段をさらに具備する、［２２］に記載の装置であって、前記モニタリングをすることは、前記表示の前記受信の結果として開始される、［２２］に記載の装置。
［２７］前記第２のノードが前記第１のノードの近傍の内にあるという表示を受信する手段をさらに具備する、［２２］に記載の装置であって、前記モニタリングをすることは、前記表示の前記受信の結果として開始される、［２２］に記載の装置。
［２８］前記第２のノードによって送信されるパイロット強度測定メッセージおよび／または前記第２のノードによって送信される候補周波数報告を検出する手段と、および
前記検出したパイロット強度測定メッセージおよび／または前記検出した候補周波数報告に基づいて、前記第２のノードが前記第１のノードの近傍にあるかどうかを決定する手段とをさらに具備する、［２２］に記載の装置であって、
前記送るための手段は、前記近傍決定に基づいて、前記メッセージを送るかどうかを決定する
ように構成されている、［２２］に記載の装置。
［２９］前記メッセージは、前記第２のノードにおいて候補周波数検索を起動せよとの要求を具備する、［２２］に記載の装置。
［３０］前記メッセージは、
前記第１のノードが前記第２のノードから信号を受信したという表示と、および
前記第１のノードの位置を示す少なくとも１つのメトリクス
を具備する、［２２］に記載の装置。
［３１］前記少なくとも１つのメトリクスは、パイロット強度測定、往復遅れ、およびGPS座標から成るグループのうちの少なくとも１つに関係する、［３０］に記載の装置。
［３２］コンピュータ・プログラム・プロダクトであって、
第１のノードにおいて、第２のノードを検出するために少なくとも１つの資源をモニタリングすること、および
前記第２のノードの前記検出に応答して、ハンドオーバー・オペレーションをトリガするためのメッセージを前記第１のノードに送ること
をコンピュータにさせるためのコードを具備する、コンピュータ可読媒体を具備するコンピュータ・プログラム・プロダクト。
［３３］前記少なくとも１つの資源は、少なくとも１つのチャネルおよび／または少なくとも１つのスクランブリング・コードを具備する、［３２］に記載のコンピュータ・プログラム・プロダクト。
［３４］前記少なくとも１つの資源は、周波数帯域を具備し、および
前記モニタリングをすることは、前記第２のノードによって送信される信号を検出するために前記周波数帯域にチューニングすることを具備する、［３２］に記載のコンピュータ・プログラム・プロダクト。
［３５］前記コンピュータ可読媒体は、前記少なくとも１つの資源が前記第２のノードに割り当てられることを示すメッセージを前記コンピュータに受信させるためのコードをさらに具備する、［３２］に記載のコンピュータ・プログラム・プロダクト。
［３６］前記コンピュータ可読媒体は、前記第２のノードが現在アクティブであるという表示を前記コンピュータに受信させるためのコードをさらに具備し、前記モニタリングをすることは、前記表示の前記受信の結果として開始される、［３２］に記載のコンピュータ・プログラム・プロダクト。
［３７］前記コンピュータ可読媒体は、
前記第２のノードが前記第１のノードの近傍の内にあるという表示を前記コンピュータに受信させるためのコードをさらに具備し、および
前記モニタリングをすることは、前記表示の前記受信の結果として開始される、［３２］に記載のコンピュータ・プログラム・プロダクト。
［３８］前記コンピュータ可読媒体は、
前記第２のノードによって送信されるパイロット強度測定メッセージおよび／または前記第２のノードによって送信される候補周波数報告を検出することと、
前記検出したパイロット強度測定メッセージおよび／または前記検出した候補周波数報告に基づいて、前記第２のノードが前記第１のノードの近傍にあるかどうかを決定することと、および
前記近傍決定に基づいて、前記メッセージを送るかどうかを決定することと
を前記コンピュータにさせるためのコードをさらに具備する、［３２］に記載のコンピュータ・プログラム・プロダクト。
［３９］前記メッセージは、前記第２のノードにおいて候補周波数検索を起動せよとの要求を具備する、［３２］に記載のコンピュータ・プログラム・プロダクト。
［４０］前記メッセージは、
前記第１のノードが前記第２のノードからの信号を受信したという表示と、および
前記第１のノードの位置を示す少なくとも１つのメトリクス
を具備する、［３２］に記載のコンピュータ・プログラム・プロダクト。
［４１］前記少なくとも１つのメトリクスは、パイロット強度測定、往復遅れ、およびGPS座標から成るグループのうちの少なくとも１つに関係する、［４０］に記載のコンピュータ・プログラム・プロダクト。
［４２］通信の方法であって、
第１のアクセス・ポイントにおいて、アクセス端末のためのハンドオーバー・オペレーションをトリガする第２のアクセス・ポイントからメッセージを受信することと、および
前記メッセージの前記受信の結果として前記第２のアクセス・ポイントに前記アクセス端末をハンドオーバーすることとを具備する方法。
［４３］前記メッセージは、前記第２のアクセス・ポイントに前記アクセス端末をハンドオーバーせよとの要求を具備する、［４２］に記載の方法。
［４４］前記メッセージは、前記アクセス端末において候補周波数検索を起動せよとの要求を具備する、［４２］に記載の方法であって、前記方法は、
前記候補周波数検索を実行せよとの要求を前記アクセス端末に送ることと、
前記要求に応答して候補周波数検索報告を受信することと、および
前記候補周波数検索報告に基づいて、前記第２のアクセス・ポイントに前記アクセス端末をハンドオーバーするかどうかを決定することと
をさらに具備する、［４２］に記載の方法。
［４５］前記メッセージは、前記第２のアクセス・ポイントが前記アクセス端末から信号を受信したという表示を具備し、
前記メッセージは、前記第２のアクセス・ポイントの位置を示す少なくとも１つのメトリクスをさらに具備し、
前記方法は、前記少なくとも１つのメトリクスに基づいて、前記アクセス端末が前記第２のアクセス・ポイントの近傍にあるかどうかを決定することをさらに具備し、
前記方法は、前記近傍決定に基づいて、前記アクセス端末をハンドオーバーするかどうかを決定することをさらに具備する、［４２］に記載の方法。
［４６］前記アクセス端末が前記第２のアクセス・ポイントの前記近傍にあるかどうかの前記決定は、
候補周波数検索を実行せよとの要求を前記アクセス端末に送ることと、
前記要求に応答して候補周波数検索報告を受信することと、および
前記少なくとも１つのメトリクスを、前記候補周波数検索報告からの情報と比較することと
を具備する、［４５］に記載の方法。
［４７］前記アクセス端末が前記第２のアクセス・ポイントの前記近傍にあるかどうかの前記決定は、
前記アクセス端末に関連する少なくとも１つの往復遅れを決定することと、
前記少なくとも１つのメトリクスを、前記少なくとも１つの往復遅れと比較することと
を具備する、［４５］に記載の方法。
［４８］前記アクセス端末が前記第２のアクセス・ポイントの近傍にあるかどうかを決定することと、および
前記近傍決定の表示を前記第２のアクセス・ポイントに送ることと
をさらに具備する、［４２］に記載の方法。
［４９］前記アクセス端末がアクティブであるかどうかを決定することと、および
前記アクセス端末がアクティブであるという表示を前記第２のアクセス・ポイントに送ることと
をさらに具備する、［４２］に記載の方法。
［５０］前記アクセス端末に割り当てられた少なくとも１つの資源を決定することと、および
前記少なくとも１つの資源の表示を前記第２のアクセス・ポイントに送ることと
をさらに具備する、［４２］に記載の方法。
［５１］前記少なくとも１つの資源は、少なくとも１つのチャネルおよび／または少なくとも１つのスクランブリング・コードを具備する、［５０］に記載の方法。
［５２］前記第１のアクセス・ポイントは、マクロ・アクセス・ポイントを具備し、および
前記第２のアクセス・ポイントは、フェムト・ノードを具備する［４２］に記載の方法。
［５３］通信のための装置であって、
第１のアクセス・ポイントにおいて、アクセス端末のためにハンドオーバー・オペレーションをトリガするメッセージを第２のアクセス・ポイントから受信するように構成されている受信機と、
前記メッセージの前記受信の結果として前記第２のアクセス・ポイントに前記アクセス端末をハンドオーバーするように構成されているハンドオーバー・コントローラーと
を具備する装置。
［５４］前記メッセージは、前記第２のアクセス・ポイントに前記アクセス端末をハンドオーバーせよとの要求を具備する、［５３］に記載の装置。
［５５］前記メッセージは、前記アクセス端末において候補周波数検索を起動せよとの要求を具備し、
前記装置は、前記候補周波数検索を実行せよとの要求を前記アクセス端末に送るように構成されている候補周波数検索コントローラーであって、かつ、前記要求に応答して候補周波数検索報告を受信するようにさらに構成されている候補周波数検索コントローラーをさらに具備し、および
前記ハンドオーバー・コントローラーは、前記候補周波数検索報告に基づいて、前記アクセス端末を前記第２のアクセス・ポイントにハンドオーバーするかどうかを決定するようにさらに構成されている、［５３］に記載の装置。
［５６］前記メッセージは、前記第２のアクセス・ポイントが前記アクセス端末から信号を受信したという表示を具備し、
前記メッセージは、前記第２のアクセス・ポイントの位置を示す少なくとも１つのメトリクスをさらに具備し、
前記装置は、前記少なくとも１つのメトリクスに基づいて、前記アクセス端末が前記第２のアクセス・ポイントの近傍にあるかどうかを決定するように構成されている近接性決定装置をさらに具備し、および
前記ハンドオーバー・コントローラーは、前記近傍決定に基づいて、前記アクセス端末をハンドオーバーするかどうかを決定するようにさらに構成されている、［５３］に記載の装置。
［５７］前記アクセス端末が前記第２のアクセス・ポイントの前記近傍にあるかどうかの前記決定は、
候補周波数検索を実行せよとの要求を前記アクセス端末に送ることと、
前記要求に応答して、候補周波数検索報告を受信することと、および
前記少なくとも１つのメトリクスを、前記候補周波数検索報告からの情報と比較することと
を具備する、［５６］に記載の装置。
［５８］前記アクセス端末が前記第２のアクセス・ポイントの前記近傍にあるかどうかの前記決定は、
前記アクセス端末と関連する少なくとも１つの往復遅れを決定することと、
前記少なくとも１つのメトリクスを、前記少なくとも１つの往復遅れと比較することと
を具備する、［５６］に記載の装置。
［５９］前記アクセス端末が前記第２のアクセス・ポイントの近傍にあるかどうかを決定し、および
前記近傍決定の表示を前記第２のアクセス・ポイントに送る
ように構成されている近接性決定装置をさらに具備する、［５３］に記載の装置。
［６０］前記アクセス端末がアクティブであるかどうかを決定し、および
前記アクセス端末がアクティブであるという表示を前記第２のアクセス・ポイントに送る
ように構成されている通信コントローラーをさらに具備する、［５３］に記載の装置。
［６１］前記アクセス端末に割り当てられた少なくとも１つの資源を決定し、および
前記少なくとも１つの資源の表示を前記第２のアクセス・ポイントに送る
ように構成されている、通信コントローラーをさらに具備する、［５３］に記載の装置。
［６２］前記少なくとも１つの資源は、少なくとも１つのチャネルおよび／または少なくとも１つのスクランブリング・コードを具備する、［６１］に記載の装置。
［６３］通信のための装置であって、
第１のアクセス・ポイントにおいて、アクセス端末のためにハンドオーバー・オペレーションをトリガするメッセージを第２のアクセス・ポイントから受信する手段と、
前記メッセージの前記受信の結果として前記第２のアクセス・ポイントに前記アクセス端末をハンドオーバーする手段と
を具備する装置。
［６４］前記メッセージは、前記第２のアクセス・ポイントに前記アクセス端末をハンドオーバーせよとの要求を具備する、［６３］に記載の装置。
［６５］前記メッセージは、前記アクセス端末において候補周波数検索を起動せよとの要求を具備し、
前記装置は、前記候補周波数検索を実行せよとの要求を前記アクセス端末に送る手段をさらに具備し、
前記送るための手段は、前記要求に応答して候補周波数検索報告を受信するように構成されており、および
前記ハンドオーバーするための手段は、前記候補周波数検索報告に基づいて、前記第２アクセス・ポイントに前記アクセス端末をハンドオーバーするかどうかを決定するように構成されている、［６３］に記載の装置。
［６６］前記メッセージは、前記第２のアクセス・ポイントが前記アクセス端末から信号を受信したという表示を具備し、
前記メッセージは、前記第２のアクセス・ポイントの位置を示す少なくとも１つのメトリクスをさらに具備し、
前記装置は、前記少なくとも１つのメトリクスに基づいて、前記アクセス端末が前記第２のアクセス・ポイントの近傍にあるかどうかを決定する手段をさらに具備し、および
前記ハンドオーバーする手段は、前記近傍決定に基づいて、前記アクセス端末をハンドオーバーするかどうかを決定するように構成されている、［６３］に記載の装置。
［６７］前記アクセス端末が前記第２のアクセス・ポイントの近傍にあるかどうかの前記決定は、
候補周波数検索を実行せよとの要求を前記アクセス端末に送ることと、
前記要求に応答して候補周波数検索報告を受信することと、および
前記少なくとも１つのメトリクスを、前記候補周波数検索報告からの情報と比較することと
を具備する、［６６］に記載の装置。
［６８］前記アクセス端末が前記第２のアクセス・ポイントの前記近傍にあるかどうかの前記決定は、
前記アクセス端末に関連する少なくとも１つの往復遅れを決定することと、および
前記少なくとも１つのメトリクスを、前記少なくとも１つの往復遅れと比較することと
を具備する、［６６］に記載の装置。
［６９］前記アクセス端末が前記第２のアクセス・ポイントの近傍にあるかどうかを決定する手段と、および
前記第２のアクセス・ポイントに前記近傍決定の表示を送信する手段と
をさらに具備する、［６３］に記載の装置。
［７０］前記アクセス端末がアクティブであるかどうかを決定する手段と、および
前記近傍決定の表示を前記第２のアクセス・ポイントに送る手段と
をさらに具備する、［６３］に記載の装置。
［７１］前記アクセス端末に割り当てられる少なくとも１つの資源を決定する手段と、および
前記少なくとも１つの資源の表示を前記第２のアクセス・ポイントに送る手段と
をさらに具備する、［６３］に記載の装置。
［７２］前記少なくとも１つの資源は、少なくとも１つのチャネルおよび／または少なくとも１つのスクランブリング・コードを具備する、［７１］に記載の装置。
［７３］コンピュータ・プログラム・プロダクトであって、
第１のアクセス・ポイントにおいて、第２のアクセス・ポイントから、アクセス端末のためのハンドオーバー・オペレーションをトリガするメッセージを受信することと、および
前記メッセージの前記受信の結果として前記第２のアクセス・ポイントに前記アクセス端末をハンドオーバーすることと
をコンピュータにさせるためのコードを具備するコンピュータ可読媒体を具備するコンピュータ・プログラム・プロダクト。
［７４］前記メッセージは、前記第２のアクセス・ポイントに前記アクセス端末をハンドオーバーせよとの要求を具備する、［７３］に記載のコンピュータ・プログラム・プロダクト。
［７５］前記メッセージは、前記アクセス端末において候補周波数検索を起動せよとの要求を具備し、
前記コンピュータ可読媒体は、前記アクセス端末に、前記候補周波数検索を実行せよとの要求を前記コンピュータに送らせるためのコードをさらに具備し、および前記要求に応答して候補周波数検索報告を受信するようにさらに構成されている、および
前記コンピュータ可読媒体は、前記候補周波数検索報告に基づいて、前記アクセス・ポイントに前記アクセス端末をハンドオーバーするかどうかを前記コンピュータに決定させるためのコードをさらに具備する、［７３］に記載のコンピュータ・プログラム・プロダクト。
［７６］前記メッセージは、前記第２のアクセス・ポイントが前記アクセス端末から信号を受信したという表示を具備し、
前記メッセージは、前記第２のアクセス・ポイントの位置を示す少なくとも１つのメトリクスをさらに具備し、
前記コンピュータ可読媒体は、前記少なくとも１つのメトリクスに基づいて、前記アクセス端末が前記第２のアクセス・ポイントの近傍にあるかどうかを前記コンピュータに決定させるためのコードをさらに具備し、および
前記コンピュータ可読媒体は、前記近傍決定に基づいて、前記アクセス端末をハンドオーバーするかどうかを前記コンピュータに決定させるためのコードをさらに具備する、［７３］に記載のコンピュータ・プログラム・プロダクト。
［７７］前記アクセス端末が前記第２のアクセス・ポイントの前記近傍にあるかどうかの前記決定は、
候補周波数検索を実行せよとの要求を前記アクセス端末に送ることと、
前記要求に応答して候補周波数検索報告を受信することと、および
前記少なくとも１つのメトリクスを、前記候補周波数検索報告からの情報と比較することと
を具備する、［７６］に記載のコンピュータ・プログラム・プロダクト。
［７８］前記アクセス端末が前記第２のアクセス・ポイントの前記近傍にあるかどうかの前記決定は、
前記アクセス端末に関連する少なくとも１つの往復遅れを決定することと、および
前記少なくとも１つのメトリクスを、前記少なくとも１つの往復遅れと比較することと
を具備する、［７６］に記載のコンピュータ・プログラム・プロダクト。
【図１】
0005453294.tif 000002
【図２】
0005453294.tif 000003
【図３】
0005453294.tif 000004
【図４】
0005453294.tif 000005
【図５】
0005453294.tif 000006
【図６】
0005453294.tif 000007
【図７】
0005453294.tif 000008
【図８】
0005453294.tif 000009
【図９】
0005453294.tif 000010
【図１０】
0005453294.tif 000011
【図１１】
0005453294.tif 000012
【図１２】
0005453294.tif 000013
【図１３】
0005453294.tif 000014
【図１４】
0005453294.tif 000015
【図１５】
0005453294.tif 000016
【図１６】
0005453294.tif 000017
【図１７】
0005453294.tif 000018
【図１８】
0005453294.tif 000019
【図１９】
0005453294.tif 000020
【図２０】
0005453294.tif 000021